(57)【特許請求の範囲】
【請求項１】
ユーザ機器が、ワイヤレスネットワークにおいて複数接続性ワイヤレス通信を使用して通信するための方法であって、
第１のアクセスポイントから、前記ユーザ機器が、少なくとも１つのキャリアを含む第１の複数のキャリアの各々を介して前記第１のアクセスポイントと通信する周波数リソースを指定する第１のセルの第１のキャリアアグリゲーション帯域構成を受信することと、
第２のアクセスポイントから、前記ユーザ機器が、少なくとも１つの第２のキャリアを含む第２の複数のキャリアの各々を介して前記第２のアクセスポイントと通信する第２の周波数リソースを指定する第２のセルの第２のキャリアアグリゲーション帯域構成を受信することと、
前記第１のセルの前記第１のキャリアアグリゲーション帯域構成に少なくとも部分的に基づいて、第１の接続を介して前記第１のアクセスポイントによってサービスされる前記第１のセルと前記少なくとも１つのキャリアを介して通信するために第１の半二重動作を実行すべきなのか第１の全二重動作を実行すべきなのかを決定することと、
前記第２のセルの前記第２のキャリアアグリゲーション帯域構成に少なくとも部分的に基づいて、第２の接続を介して前記第２のアクセスポイントによってサービスされる前記第２のセルと前記少なくとも１つの第２のキャリアを介して通信するために第２の半二重動作を実行すると決定することと、
前記第１の半二重動作または前記第１の全二重動作の一部として、前記第１の接続を介して第１のデータを送信または受信するために、前記第１のセルと通信することと、
前記第２の半二重動作の一部として、前記第２の接続を介して第２のデータを送信または受信するために、前記第２のセルと通信することと、
を備え、前記第１のセルと前記通信することおよび前記第２のセルと前記通信することが、全二重動作の一部である、方法。
【請求項２】
前記第１の接続および前記第２の接続が、前記全二重動作を実行することに関係する時間間隔中で半二重動作のみをサポートする、請求項１に記載の方法。
【請求項３】
前記第１のセルと通信するために前記第１の半二重動作を実行すべきなのか前記第１の全二重動作を実行すべきなのかを決定すること、または前記第２のセルと通信するために前記第２の半二重動作を実行すると決定することのうちの少なくとも１つが、構成に少なくとも部分的に基づく、請求項１に記載の方法。
【請求項４】
前記構成が、前記第１の接続および前記第２の接続の各々のキャリアアグリゲーション帯域構成に関する、請求項３に記載の方法。
【請求項５】
前記構成が、前記第１の接続および前記第２の接続の各々を使用して通信するためのユーザ機器（ＵＥ）の１つまたは複数の能力に関する、請求項３に記載の方法。
【請求項６】
前記第１のセルと通信するために前記第１の半二重動作を実行すべきなのか前記第１の全二重動作を実行すべきなのかを決定することは、前記第１の全二重動作のための送信電力がしきい値電力よりも小さいと決定することに少なくとも部分的に基づいて、前記第１の全二重動作を実行すると決定することを備える、請求項１に記載の方法。
【請求項７】
前記第１のアクセスポイントおよび前記第２のアクセスポイントが、前記第１のセルおよび前記第２のセルを介したキャリアアグリゲーションをサポートする同じアクセスポイントである、請求項１に記載の方法。
【請求項８】
ワイヤレスネットワークにおいて複数接続性ワイヤレス通信を使用して通信するための装置であって、
メモリと、
前記メモリに結合された少なくとも１つのプロセッサと、
を備え、前記少なくとも１つのプロセッサは、
第１のアクセスポイントから、前記装置が、少なくとも１つのキャリアを含む第１の複数のキャリアの各々を介して前記第１のアクセスポイントと通信する周波数リソースを指定する第１のセルの第１のキャリアアグリゲーション帯域構成を受信することと、
第２のアクセスポイントから、前記装置が、少なくとも１つの第２のキャリアを含む第２の複数のキャリアの各々を介して前記第２のアクセスポイントと通信する第２の周波数リソースを指定する第２のセルの第２のキャリアアグリゲーション帯域構成を受信することと、
前記第１のセルの前記第１のキャリアアグリゲーション帯域構成に少なくとも部分的に基づいて、第１の接続を介して前記第１のアクセスポイントによってサービスされる前記第１のセルと前記少なくとも１つのキャリアを介して通信するために第１の半二重動作を実行すべきなのか第１の全二重動作を実行すべきなのかを決定することと、
前記第２のセルの前記第２のキャリアアグリゲーション帯域構成に少なくとも部分的に基づいて、第２の接続を介して前記第２のアクセスポイントによってサービスされる前記第２のセルと前記少なくとも１つの第２のキャリアを介して通信するために第２の半二重動作を実行すると決定することと、
前記第１の半二重動作または前記第１の全二重動作の一部として、前記第１の接続を介して第１のデータを送信または受信するために、前記第１のセルと通信することと、
前記第２の半二重動作の一部として、前記第２の接続を介して第２のデータを送信または受信するために、前記第２のセルと通信することと、
を行うように構成され、前記少なくとも１つのプロセッサが、全二重動作の一部として、前記第１のセルと前記第１のデータを通信し、前記第２のセルと前記第２のデータを通信する、装置。
【請求項９】
前記第１の接続および前記第２の接続が、前記第１のセルとの前記全二重動作および前記第２のセルとの前記全二重動作を実行することに関係する時間間隔中で半二重動作のみをサポートする、請求項８に記載の装置。
【請求項１０】
前記少なくとも１つのプロセッサが、構成に少なくとも部分的に基づいて、前記第１のセルと通信するために前記第１の半二重動作を実行すべきなのか前記第１の全二重動作を実行すべきなのかを決定すること、または前記第２のセルと通信するために前記第２の半二重動作を実行すると決定することのうちの少なくとも１つを行うように構成された、請求項８に記載の装置。
【請求項１１】
前記構成が、前記第１の接続および前記第２の接続の各々のキャリアアグリゲーション帯域構成に関する、請求項１０に記載の装置。
【請求項１２】
前記構成が、前記第１の接続および前記第２の接続の各々を使用して通信するためのユーザ機器（ＵＥ）の１つまたは複数の能力に関する、請求項１０に記載の装置。
【請求項１３】
前記少なくとも１つのプロセッサは、前記第１の全二重動作のための送信電力がしきい値電力よりも小さいと決定することに少なくとも部分的に基づいて、少なくとも部分的に、前記第１の全二重動作を実行すると決定することによって、前記第１のセルと通信するために前記第１の半二重動作を実行すべきなのか前記第１の全二重動作を実行すべきなのかを決定するように構成された、請求項８に記載の装置。
【請求項１４】
前記第１のアクセスポイントおよび前記第２のアクセスポイントが、前記第１のセルおよび前記第２のセルを介したキャリアアグリゲーションをサポートする同じアクセスポイントである、請求項８に記載の装置。
【請求項１５】
ワイヤレスネットワークにおいて複数接続性ワイヤレス通信を使用して通信するための装置であって、
第１のアクセスポイントから、前記装置が、少なくとも１つのキャリアを含む第１の複数のキャリアの各々を介して前記第１のアクセスポイントと通信する周波数リソースを指定する第１のセルの第１のキャリアアグリゲーション帯域構成を受信するための手段と、
第２のアクセスポイントから、前記装置が、少なくとも１つの第２のキャリアを含む第２の複数のキャリアの各々を介して前記第２のアクセスポイントと通信する第２の周波数リソースを指定する第２のセルの第２のキャリアアグリゲーション帯域構成を受信するための手段と、
前記第１のセルの前記第１のキャリアアグリゲーション帯域構成に少なくとも部分的に基づいて、第１の接続を介して前記第１のアクセスポイントによってサービスされる前記第１のセルと前記少なくとも１つのキャリアを介して通信するために第１の半二重動作を実行すべきなのか第１の全二重動作を実行すべきなのかを決定するための手段と、
前記第２のセルの前記第２のキャリアアグリゲーション帯域構成に少なくとも部分的に基づいて、第２の接続を介して前記第２のアクセスポイントによってサービスされる前記第２のセルと前記少なくとも１つの第２のキャリアを介して通信するために第２の半二重動作を実行すると決定するための手段と、
前記第１の半二重動作または前記第１の全二重動作の一部として、前記第１の接続を介して第１のデータを送信または受信するために、前記第１のセルと通信するための手段と、前記第２の半二重動作の一部として、前記第２の接続を介して第２のデータを送信または受信するために、前記第２のセルと通信するための手段と、
を備え、通信するための前記手段が、全二重動作の一部として、前記第１の接続を介して前記第１のデータを通信し、前記第２の接続を介して前記第２のデータを通信する、装置。
【請求項１６】
前記第１の接続および前記第２の接続が、前記第１のセルとの前記全二重動作および前記第２のセルとの前記全二重動作を実行することに関係する時間間隔中で半二重動作のみをサポートする、請求項１５に記載の装置。
【請求項１７】
前記第１のセルと通信するために前記第１の半二重動作を実行すべきなのか前記第１の全二重動作を実行すべきなのかを決定するための前記手段、または前記第２のセルと通信するために前記第２の半二重動作を実行すると決定するための前記手段が、構成に少なくとも部分的に基づいて決定する、請求項１５に記載の装置。
【請求項１８】
前記構成が、前記第１の接続および前記第２の接続の各々のキャリアアグリゲーション帯域構成に関する、請求項１７に記載の装置。
【請求項１９】
前記構成が、前記第１の接続および前記第２の接続の各々を使用して通信するためのユーザ機器（ＵＥ）の１つまたは複数の能力に関する、請求項１７に記載の装置。
【請求項２０】
前記第１のアクセスポイントおよび前記第２のアクセスポイントが、前記第１のセルおよび前記第２のセルを介したキャリアアグリゲーションをサポートする同じアクセスポイントである、請求項１５に記載の装置。
【請求項２１】
前記第１のセルと通信するために前記第１の半二重動作を実行すべきなのか前記第１の全二重動作を実行すべきなのかを決定するための手段が、前記第１の全二重動作のための送信電力がしきい値電力よりも小さいと決定することに少なくとも部分的に基づいて、少なくとも部分的に、前記第１の全二重動作を実行すると決定することによって決定する、請求項１５に記載の装置。
【請求項２２】
ユーザ機器が、ワイヤレスネットワークにおいて複数接続性ワイヤレス通信を使用して通信するためのコンピュータ実行可能コードを記憶する非一時的コンピュータ可読記憶媒体であって、
第１のアクセスポイントから、前記ユーザ機器が、少なくとも１つのキャリアを含む第１の複数のキャリアの各々を介して前記第１のアクセスポイントと通信する周波数リソースを指定する第１のセルの第１のキャリアアグリゲーション帯域構成を受信するためのコードと、
第２のアクセスポイントから、前記ユーザ機器が、少なくとも１つの第２のキャリアを含む第２の複数のキャリアの各々を介して前記第２のアクセスポイントと通信する第２の周波数リソースを指定する第２のセルの第２のキャリアアグリゲーション帯域構成を受信するためのコードと、
前記第１のセルの前記第１のキャリアアグリゲーション帯域構成に少なくとも部分的に基づいて、第１の接続を介して前記第１のアクセスポイントによってサービスされる前記第１のセルと前記少なくとも１つのキャリアを介して通信するために第１の半二重動作を実行すべきなのか第１の全二重動作を実行すべきなのかを決定するためのコードと、
前記第２のセルの前記第２のキャリアアグリゲーション帯域構成に少なくとも部分的に基づいて、第２の接続を介して前記第２のアクセスポイントによってサービスされる前記第２のセルと前記少なくとも１つの第２のキャリアを介して通信するために第２の半二重動作を実行すると決定するためのコードと、
前記第１の半二重動作または前記第１の全二重動作の一部として、前記第１の接続を介して通信を送信または受信するために、前記第１のセルと通信するためのコードと、前記第２の半二重動作の一部として、前記第２の接続を介して通信を送信または受信するために、前記第２のセルと前記全二重動作の一部として通信するためのコードと、
を備え、通信するための前記コードが、全二重動作の一部として、前記第１の接続を介して前記第１のデータを通信し、前記第２の接続を介して前記第２のデータを通信する、非一時的コンピュータ可読記憶媒体。
【請求項２３】
前記第１の接続および前記第２の接続が、前記第１のセルとの前記全二重動作および前記第２のセルとの前記全二重動作を実行することに関係する時間間隔中で半二重動作のみをサポートする、請求項２２に記載の非一時的コンピュータ可読記憶媒体。
【請求項２４】
前記第１のセルと通信するために前記第１の半二重動作を実行すべきなのか前記第１の全二重動作を実行すべきなのかを決定するための前記コード、または前記第２のセルと通信するために前記第２の半二重動作を実行すると決定するための前記コードが、構成に少なくとも部分的に基づいて決定する、請求項２２に記載の非一時的コンピュータ可読記憶媒体。
【請求項２５】
前記構成が、前記第１の接続および前記第２の接続の各々のキャリアアグリゲーション帯域構成に関する、請求項２４に記載の非一時的コンピュータ可読記憶媒体。
【請求項２６】
前記構成が、前記第１の接続および前記第２の接続の各々を使用して通信するためのユーザ機器（ＵＥ）の１つまたは複数の能力に関する、請求項２４に記載の非一時的コンピュータ可読記憶媒体。
【請求項２７】
前記第１のアクセスポイントおよび前記第２のアクセスポイントが、前記第１のセルおよび前記第２のセルを介したキャリアアグリゲーションをサポートする同じアクセスポイントである、請求項２２に記載の非一時的コンピュータ可読記憶媒体。
【請求項２８】
前記第１のセルと通信するために前記第１の半二重動作を実行すべきなのか前記第１の全二重動作を実行すべきなのかを決定するための前記コードは、前記第１の全二重動作のための送信電力がしきい値電力よりも小さいと決定することに少なくとも部分的に基づいて、前記第１の全二重動作を実行すると決定するためのコードを備える、請求項２２に記載の非一時的コンピュータ可読記憶媒体。
【発明の詳細な説明】
【技術分野】
【０００１】
優先権の主張
[0001]本特許出願は、本出願の譲受人に譲渡され、その全体が参照により本明細書に明確に組み込まれる、２０１５年４月２４日に出願された「TECHNIQUES FOR PERFORMING HALF/FULL-DUPLEX OPERATIONS IN WIRELESS COMMUNICATIONS」と題する非仮出願第１４／６９５，９８２号、および２０１４年５月１６日に出願された「TECHNIQUES FOR PERFORMING HALF/FULL-DUPLEX OPERATIONS IN MULTIPLE CONNECTIVITY WIRELESS COMMUNICATIONS」と題する仮出願第６１／９９４，５０２号の優先権を主張する。
【０００２】
[0002]本開示は、たとえば、ワイヤレス通信システムに関し、より詳細には、ワイヤレス通信において半／全二重動作を実行するための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局（たとえば、ｅノードＢ）を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]ワイヤレス通信の性能を改善するために、ＵＥが、複数の基地局からの複数のアップリンク許可を介してそれらの基地局と同時に通信することを可能にすることが望ましいことがあり、これは、複数接続性ワイヤレス通信と呼ばれることがあり、またはより詳細には、ＵＥが、２つの基地局からのアップリンク許可を介して通信する、デュアル接続性と呼ばれることがある。ＵＥは、したがって、複数の基地局の各々の１つまたは複数のセルと通信するために、１つまたは複数のキャリアを利用し得る。
【発明の概要】
【０００６】
[0006]本開示の態様は、一般にワイヤレス通信に関し、より詳細には、複数接続性ワイヤレス通信において半／全二重動作を実行するための技法に関する。たとえば、複数の基地局によって構成された複数のセルと通信するとき、半二重動作または全二重動作を実行するための技法について、本明細書で説明する。
【０００７】
[0007]一態様によれば、ワイヤレスデバイス（たとえば、ユーザ機器（ＵＥ））は、ワイヤレスネットワークにおいて、１つまたは複数の基地局（たとえば、複数接続性ワイヤレス通信におけるマスタｅノードＢ（ＭｅノードＢまたはＭｅＮＢ）および少なくとも１つの２次ｅノードＢ（ＳｅノードＢまたはＳｅＮＢ））によって構成された複数のセル（たとえば、ＰＣｅｌｌまたはＳＣｅｌｌ）と通信し得る。一例では、１つまたは複数の基地局によって構成された複数のセルのうちの所与の１つのためのキャリア構成に基づいて、ワイヤレスデバイスは、それが、１つまたは複数の基地局によって構成された複数のセルのうちの所与の１つとの半二重動作を実行することができるのか全二重動作を実行することができるのかを決定し得る。別の例では、ワイヤレスデバイスの能力に基づいて、ワイヤレスデバイスは、それが、１つまたは複数の基地局によって構成された複数のセルのうちの所与の１つとの半二重動作を実行することができるのか全二重動作を実行することができるのかを決定し得る。しかしながら、複数のセルのキャリア構成が、ワイヤレスデバイスが半二重動作を実行することを可能にする場合、ワイヤレスデバイスが、複数の基地局によって構成された複数のセルと通信することによって、ワイヤレスデバイス自体が、１つまたは複数の基地局のうちの１つによって構成された複数のセルのうちの１つに送信する間に複数のセルのうちの別の１つから受信することで、全二重動作を実行していることがある場合があり得る。したがって、１つまたは複数の基地局によって構成された複数のセルへの複数接続を利用することによって、ワイヤレスデバイスは、個々の接続が（たとえば、所与の時間間隔中などで）半二重動作のためにのみ構成され得る場合でも、全二重動作を実行し得る。さらに、一例では、これは、同じ基地局によって構成された複数のコンポーネントキャリア（たとえば、ここで、それらのキャリアは専用の帯域構成を有することができる）上で複数接続が確立されるキャリアアグリゲーションの場合に適用され得る。
【０００８】
[0008]一例では、ワイヤレスネットワークにおいて複数接続性ワイヤレス通信を使用して通信するための方法が提供される。本方法は、第１の接続を介して第１のアクセスポイントによってサービスされる第１のセルと通信することと、第２の接続を介して第２のアクセスポイントによってサービスされる第２のセルと通信することと、第１の接続を介して第１のアクセスポイントによってサービスされる第１のセルと通信するために第１の半二重動作を実行すべきなのか第１の全二重動作を実行すべきなのかを決定することと、第２の接続を介して第２のアクセスポイントによってサービスされる第２のセルと通信するために第２の半二重動作を実行すべきなのか第２の全二重動作を実行すべきなのかを決定することとを含む。
【０００９】
[0009]本方法はまた、全二重動作の一部として通信を受信するために第１の接続を介して第１のセルまたは第２の接続を介して第２のセルのうちの一方と通信することと、全二重動作の一部として通信を送信するために第１の接続を介して第１のセルまたは第２の接続を介して第２のセルのうちの他方と通信することとによって、全二重動作を実行することを含み得る。本方法は、ここにおいて、第１の接続および第２の接続が、全二重動作を実行することに関係する時間間隔中で半二重動作のみをサポートすることをさらに含み得る。
【００１０】
[0010]本方法はまた、ここにおいて、第１のセルと通信するために第１の半二重動作を実行すべきなのか第１の全二重動作を実行すべきなのかを決定すること、または第２のセルと通信するために第２の半二重動作を実行すべきなのか第２の全二重動作を実行すべきなのかを決定することのうちの少なくとも１つが、構成に少なくとも部分的に基づくことを含み得る。また、本方法は、ここにおいて、構成が、第１の接続および第２の接続の各々のキャリアアグリゲーション帯域構成に関することを含み得る。本方法は、ここにおいて、構成が、第１の接続および第２の接続の各々を使用して通信するためのユーザ機器（ＵＥ）の１つまたは複数の能力に関することをさらに含み得る。さらに、本方法は、ここにおいて、第２のセルと通信するために第２の半二重動作を実行すべきなのか第２の全二重動作を実行すべきなのかを決定することは、第２の全二重動作のための送信電力がしきい値電力よりも小さいと決定することに少なくとも部分的に基づいて、第２の全二重動作を実行すると決定することを備えることを含み得る。本方法はまた、ここにおいて、第１のアクセスポイントおよび第２のアクセスポイントが、同じアクセスポイントであることを含み得る。
【００１１】
[0011]別の例では、ワイヤレスネットワークにおいて複数接続性ワイヤレス通信を使用して通信するための装置が提供される。本装置は、第１の接続を介して第１のアクセスポイントによってサービスされる第１のセルと通信することと、第２の接続を介して第２のアクセスポイントによってサービスされる第２のセルと通信することとを行うように構成された通信構成要素と、第１の接続を介して第１のアクセスポイントによってサービスされる第１のセルと通信するために第１の半二重動作を実行すべきなのか第１の全二重動作を実行すべきなのかを決定することと、第２の接続を介して第２のアクセスポイントによってサービスされる第２のセルと通信するために第２の半二重動作を実行すべきなのか第２の全二重動作を実行すべきなのかを決定することとを行うように構成された半／全二重動作構成要素とを含む。
【００１２】
[0012]本装置はまた、ここにおいて、半／全二重動作構成要素が、少なくとも部分的に、全二重動作の一部として通信を受信するために第１の接続を介して第１のセルまたは第２の接続を介して第２のセルのうちの一方と通信することと、全二重動作の一部として通信を送信するために第１の接続を介して第１のセルまたは第２の接続を介して第２のセルのうちの他方と通信することとによって、全二重動作を実行すると決定するように構成されることを含み得る。本装置は、ここにおいて、第１の接続および第２の接続が、第１のセルとの全二重動作および第２のセルとの全二重動作を実行することに関係する時間間隔中で半二重動作のみをサポートすることをさらに含み得る。
【００１３】
[0013]本装置はまた、ここにおいて、半／全二重動作構成要素が、構成に少なくとも部分的に基づいて、第１のセルと通信するために第１の半二重動作を実行すべきなのか第１の全二重動作を実行すべきなのかを決定すること、または第２のセルと通信するために第２の半二重動作を実行すべきなのか第２の全二重動作を実行すべきなのかを決定することのうちの少なくとも１つを行うように構成されることを含み得る。さらに、本装置は、ここにおいて、構成が、第１の接続および第２の接続の各々のキャリアアグリゲーション帯域構成に関することを含み得る。本装置はまた、ここにおいて、構成が、第１の接続および第２の接続の各々を使用して通信するためのＵＥの１つまたは複数の能力に関することを含み得る。本装置は、ここにおいて、半／全二重動作構成要素は、第２の全二重動作のための送信電力がしきい値電力よりも小さいと決定することに少なくとも部分的に基づいて、少なくとも部分的に、第２の全二重動作を実行すると決定することによって、第２のセルと通信するために第２の半二重動作を実行すべきなのか第２の全二重動作を実行すべきなのかを決定するように構成されることをさらに含み得る。また、本装置は、ここにおいて、第１のアクセスポイントおよび第２のアクセスポイントが、同じアクセスポイントであることを含み得る。
【００１４】
[0014]また別の例では、ワイヤレスネットワークにおいて複数接続性ワイヤレス通信を使用して通信するための装置が提供される。本装置は、第１の接続を介して第１のアクセスポイントによってサービスされる第１のセルと通信するための手段と、第２の接続を介して第２のアクセスポイントによってサービスされる第２のセルと通信するための手段と、第１の接続を介して第１のアクセスポイントによってサービスされる第１のセルと通信するために第１の半二重動作を実行すべきなのか第１の全二重動作を実行すべきなのかを決定するための手段と、第２の接続を介して第２のアクセスポイントによってサービスされる第２のセルと通信するために第２の半二重動作を実行すべきなのか第２の全二重動作を実行すべきなのかを決定するための手段とを含み得る。
【００１５】
[0015]本装置はまた、全二重動作の一部として通信を受信するために第１の接続を介して第１のセルまたは第２の接続を介して第２のセルのうちの一方と通信することと、全二重動作の一部として通信を送信するために第１の接続を介して第１のセルまたは第２の接続を介して第２のセルのうちの他方と通信することとによって、全二重動作を実行するための手段を含み得る。本装置は、ここにおいて、第１の接続および第２の接続が、第１のセルとの全二重動作および第２のセルとの全二重動作を実行することに関係する時間間隔中で半二重動作のみをサポートすることをさらに含み得る。
【００１６】
[0016]また、本装置は、ここにおいて、第１のセルと通信するために第１の半二重動作を実行すべきなのか第１の全二重動作を実行すべきなのかを決定するための手段、または第２のセルと通信するために第２の半二重動作を実行すべきなのか第２の全二重動作を実行すべきなのかを決定するための手段が、構成に少なくとも部分的に基づいて決定することを含み得る。本装置はまた、ここにおいて、構成が、第１の接続および第２の接続の各々のキャリアアグリゲーション帯域構成に関することを含み得る。本装置は、ここにおいて、構成が、第１の接続および第２の接続の各々を使用して通信するためのＵＥの１つまたは複数の能力に関することをさらに含み得る。本装置はまた、ここにおいて、第１のアクセスポイントおよび第２のアクセスポイントが、同じアクセスポイントであることを含み得る。
【００１７】
[0017]別の例では、ワイヤレスネットワークにおいて複数接続性ワイヤレス通信を使用して通信するためのコンピュータ実行可能コードを記憶するコンピュータ可読記憶媒体が提供される。コードは、第１の接続を介して第１のアクセスポイントによってサービスされる第１のセルと通信するためのコードと、第２の接続を介して第２のアクセスポイントによってサービスされる第２のセルと通信するためのコードと、第１の接続を介して第１のアクセスポイントによってサービスされる第１のセルと通信するために第１の半二重動作を実行すべきなのか第１の全二重動作を実行すべきなのかを決定するためのコードと、第２の接続を介して第２のアクセスポイントによってサービスされる第２のセルと通信するために第２の半二重動作を実行すべきなのか第２の全二重動作を実行すべきなのかを決定するためのコードとを含む。
【００１８】
[0018]本コンピュータ可読記憶媒体は、全二重動作の一部として通信を受信するために第１の接続を介して第１のセルまたは第２の接続を介して第２のセルのうちの一方と通信することと、全二重動作の一部として通信を送信するために第１の接続を介して第１のセルまたは第２の接続を介して第２のセルのうちの他方と通信することとによって、全二重動作を実行するためのコードをも含むことができる。さらに、本コンピュータ可読記憶媒体は、ここにおいて、第１の接続および第２の接続が、第１のセルとの全二重動作および第２のセルとの全二重動作を実行することに関係する時間間隔中で半二重動作のみをサポートすることを含むことができる。
【００１９】
[0019]その上、本コンピュータ可読記憶媒体は、ここにおいて、第１のセルと通信するために第１の半二重動作を実行すべきなのか第１の全二重動作を実行すべきなのかを決定するためのコード、または第２のセルと通信するために第２の半二重動作を実行すべきなのか第２の全二重動作を実行すべきなのかを決定するためのコードが、構成に少なくとも部分的に基づいて決定することを含み得る。本コンピュータ可読記憶媒体はまた、ここにおいて、構成が、第１の接続および第２の接続の各々のキャリアアグリゲーション帯域構成に関することを含み得る。本コンピュータ可読記憶媒体はまた、ここにおいて、構成が、第１の接続および第２の接続の各々を使用して通信するためのＵＥの１つまたは複数の能力に関することを含み得る。本コンピュータ可読記憶媒体は、ここにおいて、第１のアクセスポイントおよび第２のアクセスポイントが、同じアクセスポイントであることをさらに含み得る。
【００２０】
[0020]本開示の様々な態様および特徴について、添付の図面において示されるように、それの様々な例を参照しながら以下でさらに詳細に説明する。本開示について様々な例を参照しながら以下で説明するが、本開示はそれに制限されないことを理解されたい。本明細書の教示へのアクセスを有する当業者は、本明細書で説明する本開示の範囲内に入り、それに関して本開示が著しく有用であり得る、追加の実装形態、変更形態、および例、ならびに他の使用分野を認識されよう。
【００２１】
[0021]本開示のより完全な理解を可能にするために、次に添付の図面を参照し、そこにおいて、同様の数字を用いて同様の要素が参照される。これらの図面は、本開示を限定するものとして解釈されるべきではなく、例示的なものにすぎない。
【図面の簡単な説明】
【００２２】
【図１】[0022]本開示の一態様による、ワイヤレス通信システムの一例を概念的に示すブロック図。
【図２】[0023]本開示の一態様に従って構成されたｅノードＢおよびＵＥの例を概念的に示すブロック図。
【図３】[0024]本開示の一態様による、ＵＥにおける無線アクセス技術のアグリゲーションを概念的に示すブロック図。
【図４ａ】[0025]  本開示の一態様による、ＵＥとＰＤＮとの間のデータ経路の一例を概念的に示すブロック図。
【図４ｂ】本開示の一態様による、ＵＥとＰＤＮとの間のデータ経路の一例を概念的に示すブロック図。
【図５】[0026]本開示の一態様による、複数接続性キャリアアグリゲーションを可能にする例示的なワイヤレス通信システムを概念的に示すブロック図。
【図６】[0027]本開示の一態様に従って構成されたＵＥおよび構成要素の一例を概念的に示すブロック図。
【図７】[0028]本開示の一態様による、複数接続性において半二重または全二重を構成するための方法を示すフローチャート。
【図８】[0029]本開示の一態様に従って構成された処理システムを採用する装置のための例示的なハードウェア実装形態を概念的に示すブロック図。
【発明を実施するための形態】
【００２３】
[0030]添付の図面に関して以下に記載する発明を実施するための形態は、様々な構成を説明するものであり、本明細書で説明する概念が実施され得る構成のみを表すものではない。発明を実施するための形態は、様々な概念の完全な理解を与えるための詳細を含む。ただし、これらの概念はこれらの詳細なしに実施され得ることが当業者には明らかであろう。いくつかの事例では、そのような概念を不明瞭にしないように、よく知られている構造および構成要素をブロック図の形式で示す。
【００２４】
[0031]キャリアアグリゲーションまたは複数接続性通信モードにおいて複数接続を使用することによって半／全二重動作を実行するための、様々な方法、装置、デバイス、およびシステムについて説明する。いくつかの態様では、ワイヤレスデバイス（たとえば、ユーザ機器（ＵＥ））は、ワイヤレスデバイスがワイヤレスネットワークにアクセスする際にそれを介して通信することができる複数のネットワークエンティティの各々からリソースを受信することを含み得る、複数接続性通信モードを使用して複数のネットワークエンティティによって構成された複数のセルと通信することができる。いくつかの態様では、ワイヤレスデバイスは、第１のネットワークエンティティの第１の１次セル（たとえば、マスタセルグループ１次セルまたはＰＣｅｌｌ）を通して、第１のネットワークエンティティ（たとえば、ＭｅノードＢまたはＭｅＮＢとも呼ばれる、マスタｅノードＢ）と通信するために、第１の構成情報を受信し得る。ワイヤレスデバイスは、第２のネットワークエンティティの第２の１次セル（たとえば、２次セルグループ１次セルまたはＰＣｅｌｌSCG）を通して、第２のネットワークエンティティ（たとえば、ＳｅノードＢまたはＳｅＮＢとも呼ばれる、２次ｅノードＢ）と通信するために、第２の構成情報を受信し得る。第１の１次セルおよび第２の１次セルの各々について、ワイヤレスデバイスは、それぞれ、第１の構成情報および第２の構成情報に少なくとも部分的に基づいて、半二重動作を実行すべきなのか全二重動作を実行すべきなのかを決定し得る。第２のネットワークエンティティは、第１のネットワークエンティティとコロケートされないことがあり、第１のネットワークエンティティとコロケートされることがあり、および／または（たとえば、単一のｅノードＢを用いたキャリアアグリゲーションでは）第１のネットワークエンティティと同じであり得る。
【００２５】
[0032]複数接続性ワイヤレス通信のいくつかの態様では、ワイヤレスデバイスは、複数のネットワークエンティティに通信可能に結合され得る。たとえば、第１のネットワークエンティティ（たとえば、ＭｅノードＢまたはＭｅＮＢとも呼ばれる、マスタｅノードＢ）は、１つまたは複数のセルを含むマスタセルグループ（ＭＣＧ：master cell group）を動作させるように構成され得る（たとえば、各セルは、異なる周波数帯域中で動作し得、１つまたは複数のコンポーネントキャリア（ＣＣ）を含み得る）。マスタセルグループ（ＭＣＧ）中のセルは、マスタセルグループ（ＭＣＧ）の第１の１次セル（たとえば、ＰＣｅｌｌMCG）として構成され得る。第２のネットワークエンティティ（たとえば、ＳｅノードＢまたはＳｅＮＢ）は、１つまたは複数のセルを含む２次セルグループ（ＳＣＧ：secondary cell group）を動作させるように構成され得る（たとえば、各セルは、異なる周波数帯域中で動作し得、１つまたは複数のＣＣを含み得る）。２次セルグループ（ＳＣＧ）中のセルは、２次セルグループ（ＳＣＧ）の第１の１次セル（たとえば、ＰＣｅｌｌSCG）として指定され得る。たとえば、ワイヤレスデバイスは、第１の１次セル（たとえば、ＰＣｅｌｌMCG）を介して第１のネットワークエンティティから構成情報を受信し、第２の１次セル（たとえば、ＰＣｅｌｌSCG）を介して第２のネットワークエンティティから構成情報を受信し得る。第１のネットワークエンティティは、第２のネットワークエンティティとコロケートされないことがあり、第１のネットワークエンティティとコロケートされることがあり、および／または（たとえば、単一のｅノードＢを用いたキャリアアグリゲーションでは）第１のネットワークエンティティと同じであり得る。
【００２６】
[0033]一態様では、キャリアアグリゲーションは、ＭｅＮＢおよびＳｅＮＢによって構成されたセルまたはセルグループならびに／または関係するセルの各々内で有効にされ得、ワイヤレスデバイスは、それぞれのｅＮＢとのワイヤレスデバイスのための所与のキャリアアグリゲーション帯域構成、および／またはキャリアアグリゲーション帯域構成を考慮したワイヤレスデバイス能力のうちの少なくとも１つに基づいて、ＭｅＮＢおよびＳｅＮＢによって構成されたセルまたはセルグループのうちの１つまたは複数との半二重動作または全二重動作を実行し得る。さらに、ワイヤレスデバイスは、ＭｅＮＢおよびＳｅＮＢにわたって考慮されるときに、ワイヤレスデバイスが、所与の時間間隔中で同時に一方のｅＮＢに送信し他方のｅＮＢから受信し得るので、ＭｅＮＢおよび／またはＳｅＮＢによって個々に構成されたセルまたはセルグループとの半二重動作のみが実行され得る場合でも、この構成において全二重動作を実行することが可能であり得る。ワイヤレスデバイスはまた、アグリゲートされたキャリアの複数のキャリアまたはキャリアのグループが半二重動作を可能にし得る専用帯域構成を有することができる、単一のｅＮＢとのキャリアアグリゲーションにおいて、全二重として動作することができることを諒解されたい。
【００２７】
[0034]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡはＵＭＴＳの一部である。３ＧＰＰ（登録商標）  ＬＴＥ（登録商標）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術のために使用され得る。明快のために、本技法のいくつかの態様について以下ではＬＴＥに関して説明し、以下の説明の大部分でＬＴＥ用語を使用する。
【００２８】
[0035]図１は、本開示の一態様による、ワイヤレス通信システム１００の一例を概念的に示すブロック図である。ワイヤレス通信システム１００は、基地局（またはセル）１０５と、ユーザ機器（ＵＥ）１１５と、コアネットワーク１３０とを含む。基地局１０５は、様々な実施形態ではコアネットワーク１３０または基地局１０５の一部であり得る、基地局コントローラ（図示せず）の制御下でＵＥ１１５と通信し得る。１つまたは複数のＵＥ１１５は、本明細書で説明するように、（１つまたは複数の基地局との）複数接続性ワイヤレス通信および／またはキャリアアグリゲーションにおいて半／全二重動作を実行するための通信構成要素６４０を含むことができる。基地局１０５は、第１のバックホールリンク１３２を通してコアネットワーク１３０と制御情報および／またはユーザデータを通信し得る。実施形態では、基地局１０５は、ワイヤードまたはワイヤレス通信リンクであり得る第２のバックホールリンク１３４を介して互いに直接または間接的に通信し得る。ワイヤレス通信システム１００は、複数のキャリア（異なる周波数の波形信号）上での動作をサポートし得る。マルチキャリア送信機は、複数のキャリア上で同時に被変調信号を送信することができる。たとえば、各通信リンク１２５は、上記で説明した様々な無線技術に従って変調されたマルチキャリア信号であり得る。各被変調信号は、異なるキャリア上で送られ得、制御情報（たとえば、基準信号、制御チャネルなど）、オーバーヘッド情報、データなどを搬送し得る。ワイヤレス通信システム１００はまた、複数のフロー上での動作を同時にサポートし得る。いくつかの態様では、複数のフローは、複数のワイヤレスワイドエリアネットワーク（ＷＷＡＮ）またはセルラーフローに対応し得る。他の態様では、複数のフローは、ＷＷＡＮまたはセルラーフローとワイヤレスローカルエリアネットワーク（ＷＬＡＮ）またはＷｉ−Ｆｉフローとの組合せに対応し得る。
【００２９】
[0036]基地局１０５は、１つまたは複数の基地局アンテナを介してＵＥ１１５とワイヤレス通信し得る。基地局１０５のサイトの各々は、それぞれの地理的カバレージエリア１１０に通信カバレージを与え得る。いくつかの実施形態では、基地局１０５は、基地トランシーバ局、無線基地局、アクセスポイント、無線トランシーバ、基本サービスセット（ＢＳＳ）、拡張サービスセット（ＥＳＳ）、ノードＢ、ｅノードＢ、ホームノードＢ、ホームｅノードＢ、または何らかの他の好適な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロ基地局、マイクロ基地局、および／またはピコ基地局）を含み得る。異なる技術のための重複するカバレージエリアがあり得る。
【００３０】
[0037]実装形態では、ワイヤレス通信システム１００はＬＴＥ／ＬＴＥ−Ａネットワーク通信システムである。ＬＴＥ／ＬＴＥ−Ａネットワーク通信システムでは、発展型ノードＢ（ｅノードＢ）という用語は、基地局１０５について説明するために使用され得る。ワイヤレス通信システム１００は、異なるタイプのｅノードＢが様々な地理的領域にカバレージを与える、異種ＬＴＥ／ＬＴＥ−Ａネットワークであり得る。たとえば、各ｅノードＢ１０５は、マクロセル、ピコセル、フェムトセル、および／または他のタイプのセルに通信カバレージを与え得る。マクロセルは、比較的大きい地理的エリア（たとえば、半径数キロメートル）をカバーし得、ネットワークプロバイダのサービスに加入しているＵＥ１１５による無制限アクセスを可能にし得る。ピコセルは、比較的小さい地理的エリア（たとえば、建築物）をカバーし得、ネットワークプロバイダのサービスに加入しているＵＥ１１５による無制限アクセスを可能にし得る。また、フェムトセルは、比較的小さい地理的エリア（たとえば、自宅）をカバーし得、無制限アクセスに加えて、フェムトセルとの関連を有するＵＥ１１５（たとえば、限定加入者グループ（ＣＳＧ：closed subscriber group）中のＵＥ１１５、自宅内のユーザのためのＵＥ１１５など）による制限付きアクセスをも可能にし得る。マクロセルのためのｅノードＢ１０５はマクロｅノードＢと呼ばれることがある。ピコセルのためのｅノードＢ１０５はピコｅノードＢと呼ばれることがある。また、フェムトセルのためのｅノードＢ１０５はフェムトｅノードＢまたはホームｅノードＢと呼ばれることがある。ｅノードＢ１０５は、１つまたは複数の（たとえば、２つ、３つ、４つなどの）セルをサポートし得る。ワイヤレス通信システム１００は、ＵＥ１１５のうちの１つまたは複数によるＬＴＥおよびＷＬＡＮまたはＷｉＦｉ（登録商標）の使用をサポートし得る。
【００３１】
[0038]コアネットワーク１３０は、第１のバックホールリンク１３２（たとえば、Ｓ１インターフェースなど）を介してｅノードＢ１０５または他の基地局１０５と通信し得る。ｅノードＢ１０５はまた、たとえば、第２のバックホールリンク１３４（たとえば、Ｘ２インターフェースなど）を介しておよび／または第１のバックホールリンク１３２を介して（たとえば、コアネットワーク１３０を通して）直接または間接的に、互いに通信し得る。ワイヤレス通信システム１００は同期動作または非同期動作をサポートし得る。同期動作の場合、ｅノードＢ１０５は同様のフレームタイミングを有し得、異なるｅノードＢ１０５からの送信は時間的に近似的に整合され得る。非同期動作の場合、ｅノードＢ１０５は異なるフレームタイミングを有し得、異なるｅノードＢ１０５からの送信は時間的に整合されないことがある。本明細書で説明する技法は、同期動作または非同期動作のいずれかのために使用され得る。
【００３２】
[0039]ＵＥ１１５は、ワイヤレス通信システム１００全体にわたって分散され得、各ＵＥ１１５は固定式または移動可能であり得る。ＵＥ１１５は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥ１１５は、マクロｅノードＢ、ピコｅノードＢ、フェムトｅノードＢ、リレーなどと通信することが可能であり得る。
【００３３】
[0040]ワイヤレス通信システム１００に示された通信リンク１２５は、ＵＥ１１５からｅノードＢ１０５へのアップリンク（ＵＬ）送信および／またはｅノードＢ１０５からＵＥ１１５へのダウンリンク（ＤＬ）送信を含み得る。ダウンリンク送信は順方向リンク送信と呼ばれることもあり、アップリンク送信は逆方向リンク送信と呼ばれることもある。
【００３４】
[0041]ワイヤレス通信システム１００のいくつかの態様では、ＵＥ１１５は、２つまたはそれ以上のｅノードＢ１０５とのキャリアアグリゲーション（ＣＡ）をサポートするように構成され得る。キャリアアグリゲーションのために使用されるｅノードＢ１０５はコロケートされ得るか、または高速接続を通して接続され得る。いずれの場合も、ＵＥ１１５とｅノードＢ１０５との間のワイヤレス通信のためのコンポーネントキャリア（ＣＣ）のアグリゲーションを協調させることは、キャリアアグリゲーションを実行するために使用されている様々なセル間で情報が容易に共有され得るので、より容易に行われ得る。キャリアアグリゲーションのために使用されるｅノードＢ１０５がコロケートされない（たとえば、遠くに離れているかまたはそれらの間の高速接続を有しない）とき、コンポーネントキャリアのアグリゲーションを協調させることは、追加の態様を伴い得る。たとえば、デュアル接続性（たとえば、２つのコロケートされないｅノードＢ１０５に接続されたＵＥ１１５）のためのキャリアアグリゲーションでは、ＵＥ１１５は、第１のｅノードＢ１０５（たとえば、ＳｅノードＢまたはＳｅＮＢ）の１次セルを通して第１のｅノードＢ１０５と通信するために構成情報を受信し得る。第１のｅノードＢ１０５は、第１のｅノードＢ１０５の、１つまたは複数の２次セルと１次セルまたはＰＣｅｌｌSCGとを含む、２次セルグループまたはＳＣＧと呼ばれるセルのグループを含み得る。ＵＥ１１５はまた、第２のｅノードＢ１０５（たとえば、ＭｅノードＢまたはＭｅＮＢ）の第２の１次セルを通して第２のｅノードＢ１０５と通信するために構成情報を受信し得る。第２のｅノードＢ１０５は、第２のｅノードＢ１０５の、１つまたは複数の２次セルと１次セルまたはＰＣｅｌｌとを含む、マスタセルグループまたはＭＣＧと呼ばれるセルのグループを含み得る。
【００３５】
[0042]ワイヤレス通信システム１００のいくつかの態様では、デュアル接続性のためのキャリアアグリゲーションは、２次ｅノードＢ１０５（たとえば、ＳｅノードＢまたはＳｅＮＢ）がそれのセルのうちの１つをＰＣｅｌｌSCGとして動作させるように構成されることを伴い得る。２次ｅノードＢ１０５は、ＵＥ１１５がマスタｅノードＢ１０５（たとえば、ＭｅノードＢまたはＭｅＮＢ）と通信している間にＵＥ１１５が２次ｅノードＢ１０５と通信するためにＰＣｅｌｌSCGを通して構成情報をＵＥ１１５に送信し得る。マスタｅノードＢ１０５は、同じＵＥ１１５が他方のｅノードＢ１０５と通信するために、それのＰＣｅｌｌを介してそのＵＥ１１５に構成情報を送信し得る。２つのｅノードＢ１０５はコロケートされないことがある。
【００３６】
[0043]本明細書で説明する例では、ＵＥ１１５は、ｅノードＢ１０５からのＣＡ帯域を用いて構成され得る。たとえば、通信構成要素６４０は、本明細書で説明するように、ｅノードＢ１０５のうちの１つまたは複数から構成を受信することができ、および／またはｅノードＢ１０５のうちの１つまたは複数と通信する際に構成を利用することができる。ＣＡ帯域構成、および／またはＵＥ１１５の能力に基づいて、ＵＥ１１５は、ｅノードＢ１０５との半二重動作または全二重動作を実行することができる。さらに、いくつかの例では、ＵＥ１１５は、半二重動作がｅノードＢ１０５によってサポートされるとき、所与の時間間隔中でワイヤレスネットワーク通信を送信するために複数ｅノードＢ１０５のうちの少なくとも１つとの接続を使用しながら、その所与の時間間隔中でワイヤレスネットワーク通信を受信するために複数のｅノードＢ１０５のうちの少なくとも別の１つとの接続を使用することによって、ネットワーク上で全二重動作を実行することができる。さらに、一例では、ｅノードＢ１０５のうちの１つが、しきい値送信電力未満でＵＥ１１５からの送信を受信することが可能なスモールセルである場合、ＵＥ１１５は、しきい値を下回る送信電力を使用してスモールセルｅノードＢ１０５に送信することによって、スモールセルｅノードＢ１０５との接続を介して全二重動作を構成することができる。
【００３７】
[0044]図２は、本開示の一態様に従って構成されたｅノードＢ２１０およびＵＥ２５０の例を概念的に示すブロック図である。たとえば、図２に示されているように、システム２００の基地局／ｅノードＢ２１０およびＵＥ２５０は、それぞれ、図１における基地局／ｅノードＢのうちの１つおよびＵＥのうちの１つであり得る。したがって、ＵＥ２５０は、本明細書で説明するように、（１つまたは複数のｅＮＢ２１０との）複数接続性ワイヤレス通信および／またはキャリアアグリゲーションにおいて半／全二重動作を実行するための通信構成要素６４０を含み得る。いくつかの態様では、ｅノードＢ２１０は、キャリアアグリゲーションおよび／または複数接続性（たとえば、デュアル接続性）キャリアアグリゲーションをサポートし得る。たとえば、ｅノードＢ２１０は、それのＭＣＧ中のセルのうちの１つがＰＣｅｌｌとして構成されたＭｅノードＢまたはＭｅＮＢであり得、それのＳＣＧ中のそれのセルのうちの１つがＰＣｅｌｌSCGとして構成されたＳｅノードＢまたはＳｅＮＢであり得、それのＭＣＧ／ＳＣＧ中のセルのうちの１つがＳＣｅｌｌなどとして構成され得る。いくつかの態様では、ＵＥ２５０は、キャリアアグリゲーション、複数接続性キャリアアグリゲーションなどをもサポートし得る。ＵＥ２５０は、本明細書でさらに説明するように、ＵＥ２５０によって示される１つまたは複数の能力に基づく帯域構成に関し得る構成情報を、ＰＣｅｌｌおよび／またはＰＣｅｌｌSCGを介してｅノードＢ２１０から受信し得る。基地局２１０はアンテナ２３４1~tを装備し得、ＵＥ２５０はアンテナ２５２1~rを装備し得、ここにおいて、ｔおよびｒは１以上の整数である。
【００３８】
[0045]基地局２１０において、基地局送信プロセッサ２２０は、基地局データソース２１２からデータを受信し、基地局コントローラ／プロセッサ２４０から制御情報を受信し得る。制御情報は、ＰＢＣＨ、ＰＣＦＩＣＨ、物理的ハイブリッド自動再送／要求（ＨＡＲＱ）インジケータチャネル（ＰＨＩＣＨ）、ＰＤＣＣＨなどの上で搬送され得る。データは、ＰＤＳＣＨなどの上で搬送され得る。基地局送信プロセッサ２２０は、データシンボルおよび制御シンボルを取得するために、それぞれデータおよび制御情報を処理（たとえば、符号化およびシンボルマッピング）し得る。基地局送信プロセッサ２２０はまた、たとえば、ＰＳＳ、ＳＳＳ、およびセル固有基準信号（ＲＳ：reference signal）のための基準シンボルを生成し得る。基地局送信（ＴＸ）多入力多出力（ＭＩＭＯ）プロセッサ２３０は、適用可能な場合、データシンボル、制御シンボル、および／または基準シンボルに対して空間処理（たとえば、プリコーディング）を実行し得、基地局変調器／復調器（ＭＯＤ／ＤＥＭＯＤ）２３２1~tに出力シンボルストリームを与え得る。各基地局変調器／復調器２３２は、出力サンプルストリームを取得するために、（たとえば、ＯＦＤＭなどのために）それぞれの出力シンボルストリームを処理し得る。各基地局変調器／復調器２３２はさらに、ダウンリンク信号を取得するために、出力サンプルストリームを処理（たとえば、アナログへの変換、増幅、フィルタ処理、およびアップコンバート）し得る。変調器／復調器２３２1~tからのダウンリンク信号は、それぞれアンテナ２３４1~tを介して送信され得る。
【００３９】
[0046]ＵＥ２５０において、ＵＥアンテナ２５２1~rは、基地局２１０からダウンリンク信号を受信し得、受信信号をそれぞれＵＥ変調器／復調器（ＭＯＤ／ＤＥＭＯＤ）２５４1~rに与え得る。各ＵＥ変調器／復調器２５４は、入力サンプルを取得するために、それぞれの受信信号を調整（たとえば、フィルタ処理、増幅、ダウンコンバート、およびデジタル化）し得る。各ＵＥ変調器／復調器２５４はさらに、受信シンボルを取得するために、（たとえば、ＯＦＤＭなどのために）入力サンプルを処理し得る。ＵＥ  ＭＩＭＯ検出器２５６は、すべてのＵＥ変調器／復調器２５４1~rから受信シンボルを取得し、適用可能な場合は受信シンボルに対してＭＩＭＯ検出を実行し、検出シンボルを与え得る。ＵＥ受信プロセッサ２５８は、検出シンボルを処理（たとえば、復調、デインターリーブ、および復号）し、ＵＥ２５０の復号されたデータをＵＥデータシンク２６０に与え、復号された制御情報をＵＥコントローラ／プロセッサ２８０に与え得る。
【００４０】
[0047]アップリンク上では、ＵＥ２５０において、ＵＥ送信プロセッサ２６４は、ＵＥデータソース２６２から（たとえば、ＰＵＳＣＨのための）データを受信し、処理し得、ＵＥコントローラ／プロセッサ２８０から（たとえば、ＰＵＣＣＨのための）制御情報を受信し、処理し得る。ＵＥ送信プロセッサ２６４はまた、基準信号のための基準シンボルを生成し得る。ＵＥ送信プロセッサ２６４からのシンボルは、適用可能な場合はＵＥ  ＴＸ  ＭＩＭＯプロセッサ２６６によってプリコーディングされ、さらに（たとえば、ＳＣ−ＦＤＭなどのために）ＵＥ変調器／復調器２５４1~rによって処理され、基地局２１０に送信され得る。基地局２１０において、ＵＥ２５０からのアップリンク信号は、基地局アンテナ２３４によって受信され、基地局変調器／復調器２３２によって処理され、適用可能な場合は基地局ＭＩＭＯ検出器２３６によって検出され、さらに基地局受信プロセッサ２３８によって処理されて、ＵＥ２５０によって送られた復号されたデータと制御情報とが取得され得る。基地局受信プロセッサ２３８は、復号されたデータを基地局データシンク２４６に与え、復号された制御情報を基地局コントローラ／プロセッサ２４０に与え得る。
【００４１】
[0048]基地局コントローラ／プロセッサ２４０およびＵＥコントローラ／プロセッサ２８０は、それぞれ基地局２１０およびＵＥ２５０における動作を指示し得る。ＵＥ２５０におけるＵＥコントローラ／プロセッサ２８０および／または他のプロセッサおよびモジュールはまた、たとえば、図６に示されている機能ブロック、および／または本明細書で説明する技法のための他のプロセス（たとえば、図７に示されているフローチャート）の実行を実施または指示し得る。いくつかの態様では、これらの機能ブロックおよび／またはプロセスの実行の少なくとも一部分は、ＵＥコントローラ／プロセッサ２８０中のブロック２８１によって実施され得る。基地局メモリ２４２およびＵＥメモリ２８２は、それぞれ基地局２１０およびＵＥ２５０のためのデータおよびプログラムコードを記憶し得る。たとえば、ＵＥメモリ２８２は、基地局２１０および／または別の基地局によって与えられる複数接続性ワイヤレス通信のための構成情報を記憶し得る。スケジューラ２４４は、ダウンリンクおよび／またはアップリンク上でのデータ送信のためにＵＥ２５０をスケジュールするために使用され得る。
【００４２】
[0049]一構成では、ＵＥ２５０は、第１の接続を介して第１のアクセスポイントによってサービスされる第１のセルと通信するための手段を含み得る。ＵＥ２５０はまた、第２の接続を介して第２のアクセスポイントによってサービスされる第２のセルと通信するための手段を含み得る。ＵＥ２５０は、第１の接続を介して第１のアクセスポイントによってサービスされる第１のセルと通信するために半二重動作を実行すべきなのか全二重動作を実行すべきなのかを決定するための手段をさらに含み得る。ＵＥ２５０はまた、第２の接続を介して第２のアクセスポイントによってサービスされる第２のセルと通信するために半二重動作を実行すべきなのか全二重動作を実行すべきなのかを決定するための手段を含むことができる。一態様では、上述の手段は、上述の手段によって具陳された機能を実行するように構成された、ＵＥコントローラ／プロセッサ２８０、ＵＥメモリ２８２、ＵＥ受信プロセッサ２５８、ＵＥ  ＭＩＭＯ検出器２５６、ＵＥ変調器／復調器２５４、およびＵＥアンテナ２５２であり得る。別の態様では、上述の手段は、上述の手段によって具陳された機能を実行するように構成されたモジュール、構成要素、または任意の装置であり得る。そのようなモジュール、構成要素、または装置の例は、図６に関して説明され得る。
【００４３】
[0050]図３は、本開示の一態様による、ＵＥにおけるキャリアおよび／または接続のアグリゲーションを概念的に示すブロック図である。アグリゲーションは、１つまたは複数のコンポーネントキャリア１〜Ｎ（ＣＣ1〜ＣＣN）を使用してｅノードＢ３０５−ａと通信し、および／または１つまたは複数のコンポーネントキャリアＭ〜Ｐ（ＣＣM〜ＣＣP）を使用して２次ｅＮＢ３０５−ｂと通信することができる、マルチモードＵＥ３１５を含むシステム３００中で行われ得る。たとえば、ｅノードＢ３０５−ａおよび／または２次ｅＮＢ３０５−ｂは、ＡＰ、フェムトセル、ピコセルなどを含み得る。ＵＥ３１５は、本明細書で説明するように、（１つまたは複数のｅＮＢ２１０との）複数接続性ワイヤレス通信および／またはキャリアアグリゲーションにおいて半／全二重動作を実行するための通信構成要素６４０を含み得る。ＵＥ３１５は、この例では、２つ以上の無線アクセス技術（ＲＡＴ）をサポートするマルチモードＵＥであり得る。たとえば、ＵＥ３１５は、少なくともＷＷＡＮ無線アクセス技術（たとえば、ＬＴＥ）および／またはＷＬＡＮ無線アクセス技術（たとえば、Ｗｉ−Ｆｉ）をサポートし得る。マルチモードＵＥはまた、本明細書で説明するように、キャリアアグリゲーションおよび／または複数接続性キャリアアグリゲーションをサポートし得る。ＵＥ３１５は、図１、図２、図４ａ、図４ｂ、図５、図６のＵＥのうちの１つの一例であり得る。ｅノードＢ３０５−ａおよび／または２次ｅＮＢ３０５−ｂは、図１、図２、図４ａ、図４ｂ、図５、図６のｅノードＢまたは基地局のうちの１つの一例であり得る。１つのＵＥ３１５、１つのｅノードＢ３０５−ａ、および１つの２次ｅＮＢ３０５−ｂのみが図３に示されているが、システム３００が、任意の数のＵＥ３１５、ｅノードＢ３０５−ａ、および／または２次ｅＮＢ３０５−ｂを含むことができることが諒解されよう。一例では、ＵＥ３１５は、１つまたは複数のＬＴＥコンポーネントキャリア３３０−１〜３３０−Ｎを介して１つのｅＮＢ３０５−ａと通信する間に別の１つまたは複数のＬＴＥコンポーネントキャリア３３０−Ｍ〜３３０−Ｐを介して別のｅＮＢ３０５−ｂと通信することができる。
【００４４】
[0051]ｅノードＢ３０５−ａは、ＬＴＥコンポーネントキャリアＣＣ1〜ＣＣN３３０上の順方向（ダウンリンク）チャネル３３２−１〜３３２−Ｎを介してＵＥ３１５に情報を送信することができる。さらに、ＵＥ３１５は、ＬＴＥコンポーネントキャリアＣＣ1〜ＣＣN上の逆方向（アップリンク）チャネル３３４−１〜３３４−Ｎを介してｅノードＢ３０５−ａに情報を送信することができる。同様に、ｅノードＢ３０５−ｂは、ＬＴＥコンポーネントキャリアＣＣM〜ＣＣP３３０上の順方向（ダウンリンク）チャネル３３２−ｍ〜３３２−ｐを介してＵＥ３１５に情報を送信し得る。さらに、ＵＥ３１５は、ＬＴＥコンポーネントキャリアＣＣM〜ＣＣP３３０上の逆方向（アップリンク）チャネル３３４−ｍ〜３３４−ｐを介してｅノードＢ３０５−ｂに情報を送信し得る。
【００４５】
[0052]図３ならびに開示する実施形態のうちのいくつかに関連する他の図の様々なエンティティについて説明する際、説明の目的で、３ＧＰＰ  ＬＴＥまたはＬＴＥ−Ａワイヤレスネットワークに関連する名称が使用される。ただし、システム３００は、限定はしないが、ＯＦＤＭＡワイヤレスネットワーク、ＣＤＭＡネットワーク、３ＧＰＰ２  ＣＤＭＡ２０００ネットワークなどの他のネットワークにおいて動作することができることを諒解されたい。
【００４６】
[0053]マルチキャリア動作中、異なるＵＥ３１５に関連するダウンリンク制御情報（ＤＣＩ）メッセージは、複数のコンポーネントキャリア上で搬送され得る。たとえば、ＰＤＣＣＨ上のＤＣＩは、物理ダウンリンク共有チャネル（ＰＤＳＣＨ：physical downlink shared channel）送信のためにＵＥ３１５によって使用されるように構成された同じコンポーネントキャリア上に含まれ得る（すなわち、同一キャリアシグナリング）。代替または追加として、ＤＣＩは、ＰＤＳＣＨ送信のために使用されるターゲットコンポーネントキャリアとは異なるコンポーネントキャリア上で搬送され得る（すなわち、クロスキャリアシグナリング）。いくつかの実装形態では、半静的に有効化され得るキャリアインジケータフィールド（ＣＩＦ）は、ＰＤＳＣＨ送信のためのターゲットキャリア以外のキャリアからのＰＤＣＣＨ制御シグナリング（クロスキャリアシグナリング）の送信を可能にするために、一部または全部のＤＣＩフォーマット中に含まれ得る。
【００４７】
[0054]本例では、ＵＥ３１５は、１つのｅノードＢ３０５−ａからデータを受信し得る。しかしながら、セルエッジ上のユーザは、データレートを制限することがある高いセル間干渉を経験し得る。マルチフローは、ＵＥが同時に２つのｅノードＢ３０５−ａおよび３０５−ｂからデータを受信することを可能にする。いくつかの態様では、２つのｅノードＢ３０５−ａは、コロケートされないことがあり、複数接続性キャリアアグリゲーションをサポートするように構成され得る。マルチフローは、ＵＥが同時に２つの隣接するセル中の２つのセルタワーの範囲内にあるとき（以下の図５参照）、２つのまったく別個のストリーム中で２つのｅノードＢ３０５−ａ／３０５−ｂからのデータを送信および受信することによって動作する。ＵＥは、デバイスがいずれかのｅノードＢの到達範囲のエッジ上にあるとき、同時に２つのｅノードＢ３０５−ａおよび／または３０５−ｂと通信する。同時に２つの異なるｅノードＢからモバイルデバイスに２つの独立データストリームをスケジューリングすることによって、マルチフローは、ワイヤレス通信ネットワークにおける不均一なローディングを活用する。これは、セルエッジユーザ経験を向上させるのを助けるとともに、ネットワーク容量を増大させる。一例では、セルエッジにおけるユーザのためのスループットデータ速度が倍になり得る。いくつかの態様では、マルチフローはまた、ＵＥがＷＷＡＮタワー（たとえば、セルラータワー）とＷＬＡＮタワー（たとえば、ＡＰ）の両方の到達範囲内にあるとき、それらのタワーと同時に通信するＵＥの能力を指すことがある。そのような場合、タワーは、タワーがコロケートされないとき、複数接続を通してキャリアアグリゲーションをサポートするように構成され得る。
【００４８】
[0055]図４ａは、本開示の一態様による、ＵＥ４１５とＰＤＮ４４０（たとえば、インターネットまたはインターネットにアクセスするための１つもしくは複数の構成要素）との間のデータ経路４４５および４５０の一例を概念的に示すブロック図である。データ経路４４５、４５０は、同じＲＡＴを使用することも使用しないこともある、異なるｅノードＢ４０５および４０６からのデータをアグリゲートするためのワイヤレス通信システム４００のコンテキスト内で示されている。図２のシステム２００は、ワイヤレス通信システム４００の部分の一例であり得る。ワイヤレス通信システム４００は、マルチモードＵＥ４１５、ｅノードＢ４０５、（たとえば、Ｘ２インターフェースに基づく）バックホールリンク４３８を介してｅノードＢ４０５に結合され得る２次ｅノードＢ４０６、発展型パケットコア（ＥＰＣ）４８０、ＰＤＮ４４０、およびピアエンティティ４５５を含み得る。ＵＥ４１５は、本明細書で説明するように、（１つまたは複数の基地局との）複数接続性ワイヤレス通信および／またはキャリアアグリゲーションにおいて半／全二重動作を実行するための通信構成要素６４０を含み得る。マルチモードＵＥ４１５は、キャリアアグリゲーション、複数接続性（たとえば、デュアル接続性）キャリアアグリゲーションなどをサポートするように構成され得る。ＥＰＣ４８０は、モビリティ管理エンティティ（ＭＭＥ：mobility management entity）４３０と、サービングゲートウェイ（ＳＧＷ）４３２と、ＰＤＮゲートウェイ（ＰＧＷ）４３４とを含み得る。ホーム加入者システム（ＨＳＳ：home subscriber system）４３５は、ＭＭＥ４３０に通信可能に結合され得る。ＵＥ４１５は、ＬＴＥ無線機４２０とＬＴＥ無線機４２５とを含み得る。これらの要素は、前または後の図を参照しながら上記で説明したそれらのカウンターパートのうちの１つまたは複数の態様を表し得る。たとえば、ＵＥ４１５は、図１、図２、図３、図５、図６におけるＵＥの一例であり得、ｅノードＢ４０５は、図１、図２、図３、図５、図６のｅノードＢ／基地局の一例であり得、ｅＮＢ４０６は、図３の２次ｅＮＢ３０５−ｂの一例であり得、および／またはＥＰＣ４８０は、図１のコアネットワーク１３０の一例であり得る。図４ａにおけるｅノードＢ４０５および／または４０６は、互いにコロケートされないことがあるか、またはさもなければ高速通信していないことがある。さらに、一例では、ｅノードＢ４０５および４０６は、異なるＥＰＣ４８０と通信し得る。
【００４９】
[0056]再び図４ａを参照すると、ｅノードＢ４０５および／または４０６は、（たとえば、１つまたは複数のｅノードＢとの）１つまたは複数のＬＴＥコンポーネントキャリアのアグリゲーションを使用して、ＵＥ４１５にＰＤＮ４４０へのアクセスを与えることが可能であり得る。したがって、ＵＥ４１５は、デュアル接続性でのキャリアアグリゲーションを伴い得、ここで、一方の接続は１つのネットワークエンティティ（ｅノードＢ４０５）に対してであり、他方の接続は異なるネットワークエンティティ（ｅノードＢ４０６）に対してである。ＵＥ４１５は、複数のノードＢとの複数接続性ワイヤレス通信、ｅノードＢの複数のセルとのキャリアアグリゲーションなどを与えるために、ＥＰＣ４０８を横断してＰＤＮ４４０にアクセスするかまたは横断せずにＰＤＮ４４０にアクセスする追加のデータ経路４４５、４５０を介して、追加のｅノードＢ４０５および／または４０６と通信することができることを諒解されたい。ＰＤＮ４４０へのこのアクセスを使用して、ＵＥ４１５はピアエンティティ４５５と通信し得る。ｅノードＢ４０５および／または４０６は、（たとえば、データ経路４４５を通して）ＥＰＣ４８０を通してＰＤＮ４４０へのアクセスを与え得、ｅノードＢ４０６は、（たとえば、データ経路４５０を通して）ＰＤＮ４４０への直接アクセスを与え得る。図示された例では、ＵＥ４１５は、ｅノードＢ固有のベアラを介して、ＭｅノードＢとしてのｅノードＢ４０５およびＳｅノードＢとしてのｅノードＢ４０６と通信することができる。一例では、ｅノードＢ４０５および４０６は、ＥＰＣ４８０に与えるためのＵＥ４１５の通信をアグリゲートするために、Ｘ２接続４３８を介して互いに通信することができる。この例では、ＵＥ４１５は、ＰＤＮ４４０にアクセスするためのデータ経路４４５および４５０を介した通信をマッピングすることができる、ｅノードＢ４０５および／または２次ｅノードＢ４０６とのベアラを使用することによって、ＰＤＮ４４０にアクセスすることができる。その上、この例では、ＭｅノードＢ４０５は、ＵＥ４１５に、非アクセス層（ＮＡＳ：non-access stratum）セキュリティ、ＮＡＳモビリティ機能などを含むＮＡＳ機能など、ＵＥ固有上位レイヤ機能を与えることができる。さらに、この例では、ＳｅノードＢ４０６は、ＳＣＧのためにＰＵＣＣＨを搬送し、ＳＣＧのために他のＰＣｅｌｌ同様の下位レイヤ機能を与えることができる。したがって、ＵＥ４１５は、ＭｅノードＢ４０５およびＳｅノードＢ４０６と独立して通信することができ、これは、ＵＥ４１５が、ＭｅノードＢ４０５およびＳｅノードＢ４０６のうちの一方または両方との半二重通信のために構成されるが、ＭｅノードＢ４０５およびＳｅノードＢ４０６のための別個の帯域構成に基づいて一緒に考慮されるとき、ＭｅノードＢ４０５およびＳｅノードＢ４０６との全二重通信を実行していることがある、状況を生じ得る。
【００５０】
[0057]ＭＭＥ４３０は、ＵＥ４１５とＥＰＣ４８０との間のシグナリングを処理する制御ノードであり得る。ＭＭＥ４３０はベアラおよび接続管理を行い得る。ＭＭＥ４３０は、したがって、ＵＥ４１５のためにアイドルモードＵＥトラッキングおよびページングと、ベアラアクティブ化および非アクティブ化と、ＳＧＷ選択とを担当し得る。ＭＭＥ４３０は、Ｓ１−ＭＭＥインターフェースを介してｅノードＢ４０５および／または４０６と通信し得る。ＭＭＥ４３０は、ＵＥ４１５をさらに認証し、ＵＥ４１５との非アクセス層（ＮＡＳ）シグナリングを実装し得る。
【００５１】
[0058]ＨＳＳ４３５は、機能の中でも、加入者データを記憶し、ローミング制限を管理し、加入者のためのアクセス可能アクセスポイント名（ＡＰＮ：access point name）を管理し、加入者をＭＭＥ４３０に関連付け得る。ＨＳＳ４３５は、３ＧＰＰ団体によって規格化された発展型パケットシステム（ＥＰＳ）アーキテクチャによって定義されたＳ６ａインターフェースを介してＭＭＥ４３０と通信し得る。
【００５２】
[0059]ＬＴＥを介して送信されるすべてのユーザＩＰパケットは、ｅノードＢ４０５および／または４０６を通してＳＧＷ４３２に転送され得、ＳＧＷ４３２は、Ｓ５シグナリングインターフェースを介してＰＧＷ４３４に接続され、Ｓ１１シグナリングインターフェースを介してＭＭＥ４３０に接続され得る。ＳＧＷ４３２は、ユーザプレーン中に存在し、ｅノードＢ間ハンドオーバと、異なるアクセス技術間のハンドオーバとのためのモビリティアンカーとして働き得る。ＰＧＷ４３４はＵＥのＩＰアドレス割振りならびに他の機能を与え得る。
【００５３】
[0060]ＰＧＷ４３４は、ＳＧｉシグナリングインターフェースを介して、ＰＤＮ４４０など、１つまたは複数の外部パケットデータネットワークへの接続性を与え得る。ＰＤＮ４４０は、インターネット、イントラネット、ＩＰマルチメディアサブシステム（ＩＭＳ：IP Multimedia Subsystem）、パケット交換（ＰＳ：Packet-Switched）ストリーミングサービス（ＰＳＳ：PS Streaming Service）、および／または他のタイプのＰＤＮを含み得る。
【００５４】
[0061]本例では、ＵＥ４１５とＥＰＣ４８０との間のユーザプレーンデータは、トラフィックがＬＴＥリンクのデータ経路４４５を介して流れるのか、データ経路４５０を介して流れるのかにかかわらず、１つまたは複数のＥＰＳベアラの同じセットを横断し得る。１つまたは複数のＥＰＳベアラのセットに関係するシグナリングまたは制御プレーンデータは、ｅノードＢ４０５および／または４０６を経由して、ＵＥ４１５のＬＴＥ無線機４２０とＥＰＣ４８０のＭＭＥ４３０との間で送信され得る。
【００５５】
[0062]図４ａの態様についてＬＴＥに関して説明したが、アグリゲーションおよび／または複数接続に関する同様の態様はまた、ＵＭＴＳあるいは他の同様のシステムまたはネットワークワイヤレス通信無線技術に関して実装され得る。
【００５６】
[0063]図４ｂは、本開示の一態様による、ＵＥ４１５とＥＰＣ４８０との間のデータ経路４４６および４５１の一例を概念的に示すブロック図である。データ経路４４６、４５１は、複数のｅノードＢ４０５、４０６のリソースを使用して送信するためのスプリットベアラのデータをアグリゲートするためのワイヤレス通信システム４０１のコンテキスト内で示されている。これは、たとえば、ｅノードＢ４０５を横断するデータ経路４４５および／またはｅノードＢ４０６を横断するデータ経路４５０を有する、図４ａに示されているベアラ構成に対する代替ベアラ構成であり得る。図２のシステム２００は、ワイヤレス通信システム４０１の部分の一例であり得る。ワイヤレス通信システム４０１は、ＵＥ４１５と、ｅノードＢ４０５と、ｅノードＢ４０６と、発展型パケットコア（ＥＰＣ）４８０と、ＰＤＮ４４０と、ピアエンティティ４５５とを含み得る。ＵＥ４１５は、本明細書で説明するように、（１つまたは複数の基地局との）複数接続性ワイヤレス通信および／またはキャリアアグリゲーションにおいて半／全二重動作を実行するための通信構成要素６４０を含み得る。ＵＥ４１５は、キャリアアグリゲーション、複数接続性（たとえば、デュアル接続性）キャリアアグリゲーションなどをサポートするように構成され得る。ＵＥ４１５は、ＷＬＡＮ  ＡＰ（説明を簡単にするために図示せず）とともに、ｅノードＢ４０５および／または４０６と通信することができるマルチモードＵＥであり得ることを諒解されたい。ＥＰＣ４８０は、モビリティ管理エンティティ（ＭＭＥ）４３０と、サービングゲートウェイ（ＳＧＷ）４３２と、ＰＤＮゲートウェイ（ＰＧＷ）４３４とを含み得る。ホーム加入者システム（ＨＳＳ）４３５は、ＭＭＥ４３０に通信可能に結合され得る。ＵＥ４１５はＬＴＥ無線機４２０を含み得るが、ＬＴＥ無線機４２０が１つまたは複数の無線機（たとえば、図４ａにおけるＬＴＥ無線機４２０、４２５）を備えることができることを諒解されたい。これらの要素は、前または後の図を参照しながら上記で説明したそれらのカウンターパートのうちの１つまたは複数の態様を表し得る。たとえば、ＵＥ４１５は、図１、図２、図３、図５、図６におけるＵＥの一例であり得、ｅノードＢ４０５、４０６は、図１、図２、図３、図５、図６のｅノードＢ／基地局の一例であり得、および／またはＥＰＣ４８０は、図１のコアネットワーク１３０の一例であり得る。図４ｂにおけるｅノードＢ４０５、４０６は、コロケートされることもコロケートされないこともある。
【００５７】
[0064]再び図４ｂを参照すると、ｅノードＢ４０５、４０６は、説明したように、１つまたは複数のＬＴＥコンポーネントキャリアに関係し得る、別個のアップリンクリソース許可を介してＰＤＮ４４０へのアクセスをＵＥ４１５に与えることが可能であり得る。したがって、ＵＥ４１５は、デュアル接続性でのキャリアアグリゲーションを伴い得、ここで、一方の接続は１つのネットワークエンティティ（ｅノードＢ４０５）に対してであり、他方の接続は異なるネットワークエンティティ（ｅノードＢ４０６）に対してである。ＰＤＮ４４０へのこのアクセスを使用して、ＵＥ４１５はピアエンティティ４５５と通信し得る。ＵＥ４１５は、ＥＰＣ４８０を通してＰＤＮ４４０にアクセスするために、ｅノードＢ４０５およびｅノードＢ４０６との接続を使用するスプリットベアラを確立することができる。図示された例では、スプリットベアラは、ＭｅノードＢとしてのｅノードＢ４０５およびＳｅノードＢとしてのｅノードＢ４０６と協調して与えられる。したがって、たとえば、ｅノードＢ４０５および４０６は、ＥＰＣ４８０に与えるためのＵＥ４１５の通信をアグリゲートするために、Ｘ２インターフェース４３８を介して互いに通信することができる。たとえば、ＭｅノードＢ４０５は、ＭｅノードＢ４０５における共通パケットデータコンバージェンスプロトコル（ＰＤＣＰ）レイヤにおいて通信をアグリゲートすることができる。たとえば、ＵＥ４１５とＭｅノードＢ４０５との間の（１つまたは複数の）キャリアは、ＵＥ４１５とＳｅノードＢ４０６）との間の（１つまたは複数の）キャリアからの独立した物理（ＰＨＹ）、ＭＡＣ、ＲＬＣなどのレイヤを有することができ、ＭｅノードＢ４０５は、共通ＰＤＣＰレイヤにおいて様々なキャリアからの独立したＰＨＹ、ＭＡＣ、ＲＬＣなどのレイヤを介して受信される通信をアグリゲートすることができる。
【００５８】
[0065]この例では、ＵＥ４１５は、ＰＤＮ４４０にアクセスするためのデータ経路４４６および４５１を介した通信をマッピングすることができる、スプリットベアラを使用することによって、ＰＤＮ４４０にアクセスすることができる。その上、この例では、ＭｅノードＢ４０５は、ＵＥ４１５に、非アクセス層（ＮＡＳ）セキュリティ、ＮＡＳモビリティ機能などを含むＮＡＳ機能など、ＵＥ固有上位レイヤ機能を与えることができる。さらに、この例では、ＳｅノードＢ４０６は、ＳＣＧのためにＰＵＣＣＨを搬送し、ＳＣＧのために他のＰＣｅｌｌ同様の下位レイヤ機能を与えることができる。したがって、ＵＥ４１５は、ＭｅノードＢ４０５およびＳｅノードＢ４０６と独立して通信することができ、これは、ＵＥ４１５が、ＭｅノードＢ４０５およびＳｅノードＢ４０６のうちの一方または両方との半二重通信のために構成されるが、ＭｅノードＢ４０５およびＳｅノードＢ４０６のための別個の帯域構成に基づいて一緒に考慮されるとき、ＭｅノードＢ４０５およびＳｅノードＢ４０６との全二重通信を実行していることがある、状況を生じ得る。
【００５９】
[0066]ＭＭＥ４３０は、説明したように、ＵＥ４１５とＥＰＣ４８０との間のシグナリングを処理する制御ノードであり得る。ＭＭＥ４３０は、スプリットベアラの接続性を確立し、管理するためのベアラおよび接続管理を行い得る。ＭＭＥ４３０は、したがって、ＵＥ４１５のためにアイドルモードＵＥトラッキングおよびページングと、ベアラアクティブ化および非アクティブ化と、ＳＧＷ選択とを担当し得る。ＭＭＥ４３０は、Ｓ１−ＭＭＥインターフェースを介してｅノードＢ４０５および４０６と通信し得る。ＭＭＥ４３０は、説明したように、ＵＥ４１５をさらに認証し、ＵＥ４１５との非アクセス層（ＮＡＳ）シグナリングを実装し得る。
【００６０】
[0067]ＬＴＥを介して送信されるすべてのユーザＩＰパケットは、ｅノードＢ４０５またはｅノードＢ４０６を通してＳＧＷ４３２に転送され得、ＳＧＷ４３２は、Ｓ５シグナリングインターフェースを介してＰＤＮゲートウェイ４３４に接続され、Ｓ１１シグナリングインターフェースを介してＭＭＥ４３０に接続され得る。一例では、図示のように、ＭＭＥ４３０は、データ経路４４６および４５１を介して受信されたデータが同じスプリットベアラに関連することに基づいて、そのデータをアグリゲートすることができ、アグリゲートされたデータをさらなる処理のためにＳＧＷ４３２上に与えることができる。
【００６１】
[0068]したがって、本例では、ＵＥ４１５とＥＰＣ４８０との間のユーザプレーンデータは、ｅノードＢ４０５および４０６のうちの１つまたは複数によって許可されたリソースを介して、ＥＰＳベアラであり得るスプリットベアラを横断し得る。１つまたは複数のＥＰＳベアラのセットに関係するシグナリングまたは制御プレーンデータは、ｅノードＢ４０５またはｅノードＢ４０６を経由して、ＵＥ４１５のＬＴＥ無線機４２０とＥＰＣ４８０のＭＭＥ４３０との間で送信され得、ｅノードＢ固有制御プレーンデータまたはベアラ関係制御プレーンデータを含み得る。
【００６２】
[0069]図４ｂの態様についてＬＴＥに関して説明したが、アグリゲーションおよび／または複数接続に関する同様の態様はまた、ＵＭＴＳあるいは他の同様のシステムまたはネットワークワイヤレス通信無線技術に関して実装され得る。
【００６３】
[0070]図５は、本開示の一態様による、複数接続性キャリアアグリゲーションを概念的に示す図である。ワイヤレス通信システム５００が、ＵＥ５１５をサービスするように構成され得る、マスタセルグループまたはＭＣＧと呼ばれるセルのセットまたはグループを有するマスタｅノードＢ５０５−ａ（ＭｅノードＢまたはＭｅＮＢ）を含み得る。ＭＣＧは、１つの１次セル（ＰＣｅｌｌMCG）５１０−ａと、１つまたは複数の２次セル５１０−ｂ（１つのみが示されている）とを含み得る。ワイヤレス通信システム５００はまた、ＵＥ５１５をサービスするように構成され得る、２次セルグループまたはＳＣＧと呼ばれるセルのセットまたはグループを有する２次ｅノードＢ５０５−ｂ（ＳｅノードＢまたはＳｅＮＢ）を含み得る。ＳＣＧは、１つの１次セル（ＰＣｅｌｌSCG）５１２−ａと、１つまたは複数の２次セル５１２−ｂ（１つのみが示されている）とを含み得る。また、複数接続性ワイヤレス通信（たとえば、デュアル接続性）のためにキャリアアグリゲーションをサポートするＵＥ５１５が示されている。ＵＥ５１５は、通信リンク５２５−ａを介してＭｅノードＢ５０５−ａ、または関係するＰＣｅｌｌMCGと通信し、通信リンク５２５−ｂを介してＳｅノードＢ５０５−ｂ、または関係するＰＣｅｌｌSCGと通信し得る。さらに、ＵＥ５１５は、本明細書で説明するように、（１つまたは複数の基地局との）複数接続性ワイヤレス通信および／またはキャリアアグリゲーションにおいて半／全二重動作を実行するための通信構成要素６４０を含み得る。
【００６４】
[0071]一例では、ＵＥ５１５は、同じｅノードＢからのコンポーネントキャリアをアグリゲートし得るか、あるいはコロケートされたまたはコロケートされないｅノードＢからのコンポーネントキャリアをアグリゲートし得る。そのような例では、使用されている様々なセル（たとえば、異なるコンポーネントキャリア（ＣＣ））は、それらが、同じｅノードＢによって扱われるか、または制御情報を通信することができるｅノードＢによって扱われるかのいずれかであるので、容易に協調させられ得る。ＵＥ５１５が、図５の例の場合のように、コロケートされない２つのｅノードＢと通信しているときにキャリアアグリゲーションを実行するとき、キャリアアグリゲーション動作は、様々なネットワーク状態により異なり得る。この場合、２次ｅノードＢ５０５−ｂにおいて１次セル（ＰＣｅｌｌSCG）を確立することは、２次ｅノードＢ５０５−ｂが１次ｅノードＢ５０５−ａとコロケートされなくても、ＵＥ５１５において行われるべき適切な構成および制御を可能にし得る。
【００６５】
[0072]図５の例では、キャリアアグリゲーションは、ＭｅノードＢ５０５−ａのＰＣｅｌｌMCGによるいくつかの機能を伴い得る。たとえば、ＰＣｅｌｌMCGは、いくつかの例を挙げれば、物理アップリンク制御チャネル（ＰＵＣＣＨ）、競合ベースランダムアクセス制御チャネル（ＲＡＣＨ）、および半永続的スケジューリングなど、いくつかの機能を扱い得る。コロケートされないｅノードＢへのデュアル接続性ワイヤレス通信または複数接続性ワイヤレス通信を用いたキャリアアグリゲーションは、キャリアアグリゲーションが他の方法で実行される様式に対していくつかの拡張および／または変更を行わなければならないことを伴い得る。拡張および／または変更のうちのいくつかは、上記で説明したように、ＵＥ５１５がＭｅノードＢ５０５−ａとＳｅノードＢ５０５−ｂとに接続されることを伴い得る。他の特徴は、たとえば、タイマー調整グループ（ＴＡＧ）にｅノードＢのうちの１つのセルを備えさせること、ＳｅノードＢ５０５−ｂ上で競合ベースおよび競合なしランダムアクセス（ＲＡを）可能にすること、ＭｅノードＢ５０５−ａのためのおよびＳｅノードＢ５０５−ｂに対する別個の間欠受信（ＤＲＸ）プロシージャ、ＵＥ５１５に、バッファステータス報告（ＢＳＲ）を１つまたは複数のベアラ（たとえば、ｅノードＢ固有ベアラまたはスプリットベアラ）がサービスされるｅノードＢに送らせること、ならびに２次ｅノードＢ５０５−ｂ中のＰＣｅｌｌSCGに関して電力ヘッドルーム報告（ＰＨＲ）、電力制御、半永続的スケジューリング（ＳＰＳ）、および論理チャネル優先度付けのうちの１つまたは複数を可能にすることを含み得る。上記で説明した拡張および／または変更、および本開示で与えられる他のものは、限定ではなく例示のためであることが意図される。
【００６６】
[0073]デュアル接続性におけるキャリアアグリゲーションのために、異なる機能はＭｅノードＢ５０５−ａとＳｅノードＢ５０５−ｂとの間で分割され得る。たとえば、異なる機能は、ＭｅノードＢ５０５−ａとＳｅノードＢ５０５−ｂとの間で静的に分割されるか、または１つまたは複数のネットワークパラメータに基づいてＭｅノードＢ５０５−ａとＳｅノードＢ５０５−ｂとの間で動的に分割され得る。一例では、ＭｅノードＢ５０５−ａは、ＰＣｅｌｌMCGを介して、限定はしないが、初期構成、セキュリティ、システム情報、および／または無線リンク障害（ＲＬＦ）に関する機能など、（たとえば、メディアアクセス制御（ＭＡＣ）レイヤの上の）上位レイヤ機能を実行し得る。図５の例において説明するように、ＰＣｅｌｌMCGは、ＭＣＧに属するＭｅノードＢ５０５−ａのセルのうちの１つとして構成され得る。ＰＣｅｌｌMCGは、ＭＣＧ内の下位レイヤ機能（たとえば、ＭＡＣ／ＰＨＹレイヤ）を与えるように構成され得る。
【００６７】
[0074]一例では、ＳｅノードＢ５０５−ｂは、ＳＣＧのための下位レイヤ機能（たとえば、ＭＡＣ／ＰＨＹレイヤ）の構成情報を与え得る。構成情報は、たとえば、１つまたは複数の無線リソース制御（ＲＲＣ）メッセージとしてＰＣｅｌｌSCGによって与えられ得る。ＰＣｅｌｌSCGは、ＳＣＧ中のセルの間で最低セルインデックス（たとえば、識別子またはＩＤ）を有するように構成され得る。たとえば、ＰＣｅｌｌSCGを介してＳｅノードＢ５０５−ｂによって実行される機能のうちのいくつかは、ＰＵＣＣＨを搬送すること、ＰＣｅｌｌSCGのＤＲＸ構成に従うようにＳＣＧ中のセルを構成すること、ＳｅノードＢ５０５−ｂ上の競合ベースおよび競合なしランダムアクセスのためのリソースを構成すること、ＰＵＣＣＨのための送信電力制御（ＴＰＣ）コマンドを有するダウンリンク（ＤＬ）許可を搬送すること、ＳＣＧ中の他のセルのためのＰＣｅｌｌSCGに基づいて経路損失を推定すること、ＳＣＧに共通探索空間を与えること、ならびにＵＥ５１５にＳＰＳ構成情報を与えることを含み得る。
【００６８】
[0075]いくつかの態様では、ＰＣｅｌｌMCGは、たとえば、セキュリティ、ネットワークへの接続、初期接続、および／または無線リンク障害などの上位レベル機能をＵＥ５１５に与えるように構成され得る。ＰＣｅｌｌMCGは、ＭＣＧ中のセルのための物理アップリンク制御チャネル（ＰＵＣＣＨ）を搬送すること、ＭＣＧの間で最低セルインデックスを含むこと、ＭＣＧセルが同じ間欠受信（ＤＲＸ）構成を有することを可能にすること、ＭｅノードＢ５０５−ａ上で競合ベースランダムアクセスと競合なしランダムアクセスの一方または両方のためのランダムアクセスリソースを構成すること、ダウンリンク許可がＰＵＣＣＨのための送信電力制御（ＴＰＣ）コマンドを搬送することを可能にすること、ＭＣＧ中のセルのための経路損失推定を可能にすること、ＭｅノードＢ５０５−ａのための共通探索空間を構成すること、および／あるいは半永続的スケジューリングを構成することを行うように構成され得る。
【００６９】
[0076]いくつかの態様では、ＰＣｅｌｌSCGは、ＳＣＧ中のセルのためのＰＵＣＣＨを搬送すること、ＳＣＧの間で最低セルインデックスを含むこと、ＳＣＧセルが同じＤＲＸ構成を有することを可能にすること、ＳｅノードＢ５０５−ｂ上で競合ベースランダムアクセスと競合なしランダムアクセスの一方または両方のためのランダムアクセスリソースを構成すること、ダウンリンク許可がＰＵＣＣＨのためのＴＰＣコマンドを搬送することを可能にすること、ＳＣＧ中のセルのための経路損失推定を可能にすること、ＳｅノードＢ５０５−ｂのための共通探索空間を構成すること、および／あるいは半永続的スケジューリングを構成することを行うように構成され得る。
【００７０】
[0077]図５の例に戻ると、ＵＥ５１５は、ＭｅノードＢ５０５−ａおよびＳｅノードＢ５０５−ｂのための並列ＰＵＣＣＨおよび物理アップリンク共有チャネル（ＰＵＳＣＨ）構成をサポートし得る。場合によっては、ＵＥ５１５は、両方のキャリアグループに適用可能であり得る（たとえば、ＵＥ５１５ベースの）構成を使用し得る。これらのＰＵＣＣＨ／ＰＵＳＣＨ構成は、たとえば、ＲＲＣメッセージを通して与えられ得る。
【００７１】
[0078]ＵＥ５１５はまた、ＭｅノードＢ５０５−ａおよびＳｅノードＢ５０５−ｂについて、肯定応答（ＡＣＫ）／否定応答（ＮＡＣＫ）およびチャネル品質インジケータ（ＣＱＩ）の同時送信のための、およびＡＣＫ／ＮＡＣＫ／サウンディング基準信号（ＳＲＳ）のための並列構成をサポートし得る。場合によっては、ＵＥ５１５は、両方のキャリアグループに適用可能であり得る（たとえば、ＵＥベースおよび／またはＭＣＧもしくはＳＣＧベースの）構成を使用し得る。これらの構成は、たとえば、ＲＲＣメッセージを通して与えられ得る。
【００７２】
[0079]図６は、本開示の一態様に従って構成されたＵＥ６１５および構成要素の一例を概念的に示すブロック図６００である。本明細書において図６と併せて説明する図７に、本開示の態様による例示的な方法７００を示す。図７において以下で説明する動作は、特定の順序でおよび／または例示的な構成要素によって実行されるものとして提示されるが、アクションの順序およびアクションを実行する構成要素は、実装形態に応じて変更され得ることを理解されたい。その上、以下のアクションまたは機能は、特別にプログラムされたプロセッサ、特別にプログラムされたソフトウェアまたはコンピュータ可読媒体を実行するプロセッサによって、あるいは説明するアクションまたは機能を実施することが可能なハードウェア構成要素および／またはソフトウェア構成要素の任意の他の組合せによって実施され得ることを理解されたい。
【００７３】
[0080]図６を参照すると、図６００の基地局／ｅノードＢ６０５−ａ（ＰＣｅｌｌMCGをもつＭｅノードＢ）、基地局／ｅノードＢ６０５−ｂ（ＰＣｅｌｌSCGをもつＳｅノードＢ）、およびＵＥ６１５は、様々な図に記載されている基地局／ｅノードＢ（またはＡＰ）およびＵＥのうちの１つであり得る。ＭｅノードＢ６０５−ａ、またはそれに関係するＰＣｅｌｌMCG、およびＵＥ６１５は、通信リンク６２５−ａを介して通信し得る。ＳｅノードＢ６０５−ｂ、またはそれに関係するＰＣｅｌｌSCG、およびＵＥ６１５は、通信リンク６２５−ｂを介して通信し得る。通信リンク６２５−ａ、６２５−ｂの各々は、図１の通信リンク１２５の一例であり得、および／または１つまたは複数のコンポーネントキャリア（たとえば、図３におけるＬＴＥコンポーネントキャリア３３０−１〜３３０−Ｎ、３３０−Ｍ〜３３０−Ｐなど）を含み得る。さらに、たとえば、ＵＥ６１５は、（たとえば、ＭｅノードＢ６０５−ａからの）通信リンク６２５−ａのためのＣＡ帯域構成と、（たとえば、ＳｅノードＢ６０５−ｂからの）通信リンク６２５−ｂのための別のＣＡ帯域構成とを受信することができる。
【００７４】
[0081]この点について、ＵＥ６１５は、受信されたＣＡ帯域構成に従って、それぞれ、ＵＥ６１５とＭｅノードＢ６０５−ａおよびＳｅノードＢ６０５−ｂとの間の通信リンク６２５−ａ、６２５−ｂを介して通信を管理するための通信構成要素６４０を含み得る。たとえば、ＣＡ帯域構成は、関係するｅノードＢおよび／またはＭＣＧ、ＳＣＧなどについて、各通信リンク６２５−ａ、６２５−ｂのために構成された１つまたは複数のキャリアの各々のための帯域、（たとえば、１つまたは複数のチャネルなどを使用して）ＵＥ６１５がそれを介して通信することができる帯域の各々を介したリソース、（たとえば、時分割複信（ＴＤＤ）通信のための）サブフレーム構成、サブフレーム方向、チャネル状態情報（ＣＳＩ）の処理、ＰＨＩＣＨ利用可能性の処理などを指定することができる。一例では、通信構成要素６４０は、ＣＡ帯域構成がそれから生成され得る、ＭｅノードＢ６０５−ａおよび／またはＳｅノードＢ６０５−ｂに対するＵＥ６１５の１つまたは複数の能力を示すことができる。たとえば、ＵＥ６１５の１つまたは複数の能力は、ＵＥ６１５が半二重および／または全二重、送信電力能力などを使用して通信することができるかどうかに関することができる。
【００７５】
[0082]図７を参照すると、方法７００は、ブロック７１０において、第１の接続を介して第１のアクセスポイントによってサービスされる第１のセルと通信することを含む。たとえば、ＵＥ６１５（図６）は、第１の接続（たとえば、通信リンク６２５−ａおよび／またはそれに関連する１つまたは複数のコンポーネントキャリア）を介して第１のアクセスポイント（たとえば、ＭｅノードＢ６０５−ａ（および／または他のｅノードＢ））によってサービスされる第１のセル（たとえば、ＭＣＧ）と通信するための通信構成要素６４０を含むことができる。一例では、通信構成要素６４０は、全二重動作を実行すべきなのか半二重動作を実行すべきなのかを示す全／半二重構成情報、どのコンポーネントキャリアを介してＵＥ６１５がＭｅノードＢ６０５−ａと通信することができるか、ＵＥ６１５がＭｅノードＢ６０５−ａとの間で通信をその間に受信または送信すると予想することができるのはどのサブフレームかなどを示すＣＡ帯域構成、および／あるいは上記で説明した追加の構成情報など、通信リンク６２５−ａのための第１の構成情報を受信し得るＭｅノードＢ接続構成構成要素６５０を含み得る。通信構成要素６４０は、第１の構成情報に従って通信リンク６２５−ａを介してＭｅノードＢ６０５−ａまたは関係するＰＣｅｌｌMCGと通信することができる。これは、通信構成要素６４０が、ＣＡ帯域構成に基づいて、（たとえば、ＣＡ帯域構成などを考慮した）ＵＥ６１５の１つまたは複数の能力に基づいてなど、ＭｅノードＢ６０５−ａと通信することを含むことができる。
【００７６】
[0083]方法７００は、ブロック７１２において、第２の接続を介して第２のアクセスポイントによってサービスされる第２のセルと通信することをも含む。これは、第１のセルおよび第２のセルと通信することによって、複数接続性ワイヤレス通信を可能にすることができる。たとえば、通信構成要素６４０は、第２の接続（たとえば、通信リンク６２５−ｂおよび／またはそれに関連する１つまたは複数のコンポーネントキャリア）を介して第２のアクセスポイント（たとえば、ＳｅノードＢ６０５−ｂおよび／または他のｅノードＢ）によってサービスされる第２のセル（たとえば、ＳＣＧ）と通信することができる。一例では、通信構成要素６４０は、上記で説明したように、全二重動作を実行すべきなのか半二重動作を実行すべきなのかを示す半／全二重構成情報、どのコンポーネントキャリアを介してＵＥ６１５がＳｅノードＢ６０５−ｂと通信することができるか、ＵＥ６１５がＳｅノードＢ６０５−ｂとの間で通信をその間に受信または送信すると予想することができるのはどのサブフレームかなどを示すＣＡ帯域構成、および／あるいは追加の構成情報など、通信リンク６２５−ｂのための第２の構成情報を受信し得るＳｅノードＢ接続構成構成要素６５５を含み得る。通信構成要素６４０は、第２の構成情報に従って通信リンク６２５−ｂを介してＳｅノードＢ６０５−ｂまたは関係するＰＣｅｌｌSCGと通信することができる。これは、上記で説明したように、通信構成要素６４０が、ＣＡ帯域構成に基づいて、ＵＥ６１５の１つまたは複数の能力に基づいてなど、ＭｅノードＢ６０５−ａと通信することを含むことができる。
【００７７】
[0084]方法７００は、ブロック７１４において、第１の接続を介して第１のアクセスポイントによってサービスされる第１のセルと通信するために半二重動作を実行すべきなのか全二重動作を実行すべきなのかを決定することをさらに含む。ＵＥ６１５は、第１の接続（たとえば、通信リンク６２５−ａおよび／またはそれに関連する１つまたは複数のコンポーネントキャリア）を介して第１のアクセスポイント（たとえば、ＭｅノードＢ６０５−ａ）によってサービスされる第１のセル（たとえば、ＭＣＧ）と通信するために半二重動作を実行すべきなのか全二重動作を実行すべきなのかを決定することができる、半／全二重動作構成要素６６０をさらに含むことができ、これは、受信された半／全二重構成情報、ＭｅノードＢ６０５−ａおよび／またはＳｅノードＢ６０５−ｂから受信されたＣＡ帯域構成、１つまたは複数のＵＥ６１５能力などに少なくとも部分的に基づき得る。たとえば、半／全二重動作構成要素６６０は、それぞれ、第１の構成情報および第２の構成情報に基づいて通信リンク６２５−ａおよび／または６２５−ｂを介して半二重動作を実行すべきなのか全二重動作を実行すべきなのかを決定することができる。
【００７８】
[0085]方法７００は、ブロック７１６において、第２の接続を介して第２のアクセスポイントによってサービスされる第２のセルと通信するために半二重動作を実行すべきなのか全二重動作を実行すべきなのかを決定することをさらに含む。したがって、半／全二重動作構成要素６６０は、第２の接続（たとえば、通信リンク６２５−ｂまたはそれに関連する１つまたは複数のコンポーネントキャリア）を介して第２のアクセスポイント（たとえば、ＳｅノードＢ６０５−ｂ）によってサービスされる第２のセル（たとえば、ＳＣＧ）と通信するために半二重動作を実行すべきなのか全二重動作を実行すべきなのかをも決定することができ、これは、ＭｅノードＢ６０５−ａおよび／またはＳｅノードＢ６０５−ｂから受信されたＣＡ帯域構成、１つまたは複数のＵＥ６１５能力などに少なくとも部分的に基づき得る。この点について、通信構成要素６４０は、それぞれの半／全二重構成情報、ＣＡ帯域構成、ＵＥ６１５能力などに応じて半二重動作または全二重動作を実行することによって、デュアル接続性において通信リンク６２５−ａおよび／または通信リンク６２５−ｂを介して通信することができる。
【００７９】
[0086]その上、方法７００は、ブロック７１８において、半二重動作または全二重動作を使用して第１のセルと通信することと、半二重動作または全二重動作を使用して第２のセルと通信することとを場合によっては含み得る。通信構成要素６４０は、半二重動作または全二重動作を使用して第１のセル（たとえば、ＭＣＧ）と通信することができ、これは、半／全二重動作構成要素６６０が、第１のセルとの半二重動作を実行すべきなのか全二重動作を実行すべきなのかを決定することに基づき得る。さらに、たとえば、通信構成要素６４０は、半二重動作または全二重動作を使用して第２のセル（たとえば、ＳＣＧ）と通信することができ、これは、半／全二重動作構成要素６６０が、第２のセルとの半二重動作を実行すべきなのか全二重動作を実行すべきなのかを決定することに基づき得る。たとえば、半二重動作を使用して通信することは、（たとえば、ＴＤＤにおける）サブフレーム構成に基づいて、またはＣＡ帯域構成、ＵＥ６１５能力などに対応する他の情報に基づいて、ＭｅノードＢ６０５−ａまたはＳｅノードＢ６０５−ｂに通信を送信すること、あるいはＭｅノードＢ６０５−ａまたはＳｅノードＢ６０５−ｂから通信を受信することを含み得る。
【００８０】
[0087]一例では、ブロック７１８において第１のセルおよび第２のセルと通信することは、ブロック７２０において、全二重動作において通信を受信するために第１の接続を介して第１のセルまたは第２の接続を介して第２のセルのうちの一方と通信することと、全二重動作において通信を送信するために第１の接続を介して第１のセルおよび第２の接続を介して第２のセルのうちの他方と通信することとを場合によっては含み得る。半／全二重動作構成要素６６０は、全二重動作において通信を受信するために第１の接続（たとえば、通信リンク６２５−ａ）を介して第１のセル（たとえば、ＭＣＧ）または第２の接続（たとえば、通信リンク６２５−ｂ）を介して第２のセル（たとえば、ＳＣＧ）と通信することができ、全二重動作において通信を送信するために第１の接続を介して第１のセルまたは第２の接続を介して第２のセルのうちの他方と通信する複数接続採用構成要素６６２を場合によっては含み得る。したがって、たとえば、構成（たとえば、通信リンク６２５−ａ、６２５−ｂのためのＣＡ帯域構成、ＵＥ６１５能力など）がＭｅノードＢ６０５−ａまたはＳｅノードＢ６０５−ｂとの半二重動作を可能にする場合、随意の複数接続採用構成要素６６２は、複数接続性ワイヤレス通信において全二重動作を実行するために、通信リンク６２５−ａと通信リンク６２５−ｂの両方を利用することができる。特に、たとえば、複数接続採用構成要素６６２は、（たとえば、所与の時間間隔中などで）通信リンク６２５−ａまたは通信リンク６２５−ｂのうちの一方を介して通信を送信しながら、通信リンク６２５−ａまたは通信リンク６２５−ｂのうちの他方を介して通信を受信するように通信構成要素６４０に命令することができる。全二重動作は、ＵＥ６１５の上位レイヤ（たとえば、ＵＥ６１５のベアラによって指定されたサービス品質を与えることが望まれる、ＵＥ６１５上で実行しているアプリケーションなど）から要求され得、複数接続採用構成要素６６２は、したがって、要求を満たすために全二重動作を与えるために、複数の通信リンク６２５−ａ、６２５−ｂを利用することができることを諒解されたい。別の例では、半／全二重動作構成要素６６０は、複数接続採用構成要素６６２が、（たとえば、ＣＡ帯域構成、帯域に関係するリソース構成などに基づいて）複数接続を使用することが可能であると決定することに基づいて、全二重動作を実行するために、複数の通信リンク６２５−ａ、６２５−ｂを利用することができる。
【００８１】
[0088]別の例では、セルのうちの１つとの半二重動作を実行すべきなのか全二重動作を実行すべきなのかを決定することは、セルと通信するための送信電力に基づき得る。たとえば、ＵＥ６１５の送信電力が十分に低い場合、全二重動作を可能にするために専用無線周波数（ＲＦ）フィルタが必要とされないことがあり、したがって、送信電力がしきい値よりも小さいいずれの場合も全二重動作が可能にされ得る。したがって、一例では、ブロック７１６において第２のセルとの半二重動作を実行すべきなのか全二重動作を実行すべきなのかを決定することは、ブロック７２２において、全二重動作のための送信電力がしきい値よりも小さいかどうかを決定することを場合によっては含み得る。たとえば、半／全二重動作構成要素６６０は、通信リンク６２５−ｂを介してＳｅノードＢ６０５−ｂと通信するための送信電力を決定することができる送信電力決定構成要素６６４と、全二重動作のための送信電力がしきい値よりも小さいかどうかを決定することができる半／全二重動作構成要素６６０とを場合によっては含み得る。この場合、半／全二重動作構成要素６６０は、電力がしきい値よりも小さいとき、通信リンク６２５−ｂを介して全二重動作を実行すると決定することができる。一例では、送信電力決定構成要素６６４は、ＳｅノードＢ６０５−ｂの電力クラスに基づいて（たとえば、ＳｅノードＢ６０５−ｂがスモールセルであると決定することに基づいて）、ＳｅノードＢ６０５−ｂによってＵＥ６１５のために構成された送信電力に基づいて、無線状態またはＳｅノードＢ６０５−ｂへの検出された近接度に基づいてなど、送信電力を決定することができる。たとえば、ＳｅノードＢ６０５−ｂがスモールセルである場合、ＵＥ６１５は、送信電力が低い限り、通信リンク６２５−ｂを介して全二重動作を可能にするために専用ＲＦフィルタが必要とされないように、送信信号をしきい値を下回るように抑圧することができる。一例では、しきい値は、１０デシベルであり得る。したがって、スモールセルは、低電力において送信を受信することができる。この点について、通信リンク６２５−ａを介してＭｅノードＢ６０５−ａとの半二重が構成される場合、半／全二重動作構成要素６６０は、ＵＥ６１５のための送信電力がしきい値電力よりも小さいと決定することに基づいて、通信リンク６２５−ｂを介してＳｅノードＢ６０５−ｂとの全二重動作を構成することができる。しきい値および／またはしきい値に基づく全二重構成は、通信構成要素６４０が構成を受信し、さらに構成に基づいて全二重動作を実行すると決定することができるように、ＭｅノードＢ６０５−ａおよび／またはＳｅノードＢ６０５−ｂによって構成され得ることを諒解されたい。
【００８２】
[0089]非デュアル接続性シナリオでは、ＳｅノードＢ６０５−ｂは、ＵＥ６１５が通信リンク６２５−ｂを介してそれと通信する第２のセル（たとえば、ＳＣｅｌｌ）を与えるように、ＭｅノードＢ６０５−ａと同じであるかまたはそれの一部であり得ることを諒解されたい。たとえば、（たとえば、ＣＡ帯域を介して第１のセルおよび第２のセル中と通信するために受信されるＣＡ帯域構成に基づいて）ＰＵＣＣＨ通信をも可能にすることによって第２のセルがＣＡのためにサポートされる場合、全二重動作または半二重動作は、ＭｅノードＢ６０５−ａおよびＳｅノードＢ６０５−ｂによって与えられるセルに関して上記で説明したように、第１のセルおよび第２のセルの各々のために個々に構成された１つまたは複数のキャリアまたはキャリアのグループ上で決定され得る。全二重動作または半二重動作を実行することは、第１のセルおよび第２のセルのために受信されるＣＡ帯域構成、ＵＥ６１５能力などに基づき得る。その上、この例では、複数接続採用構成要素６６２は、説明したように、グループの各々（または少なくとも１つまたは複数）が半二重動作をサポートする全二重動作を実行するために、キャリアの複数のグループを活用することができる。
【００８３】
[0090]図８は、本開示の一態様に従って構成された処理システム８１４を採用する装置８００のための例示的なハードウェア実装形態を概念的に示すブロック図である。処理システム８１４は、通信構成要素８４０を含む。一例では、装置８００は、様々な図において説明するＵＥのうちの１つと同じまたは同様であり得るか、あるいはそれに含まれ得る。そのような例では、通信構成要素８４０は、たとえば、通信構成要素６４０に対応し得る。この例では、処理システム８１４は、バス８０２によって表されるバスアーキテクチャを用いて実装され得る。バス８０２は、処理システム８１４の特定の適用例および全体的な設計制約に応じて、任意の数の相互接続バスおよびブリッジを含み得る。バス８０２は、プロセッサ８０４によって表される１つまたは複数のプロセッサ（たとえば、中央処理ユニット（ＣＰＵ）、マイクロコントローラ、特定用途向け集積回路（ＡＳＩＣ）、プログラマブルゲートアレイ（ＦＰＧＡ））、およびコンピュータ可読媒体８０６によって表されるコンピュータ可読媒体を含む様々な回路を互いにリンクする。バス８０２はまた、タイミングソース、周辺機器、電圧調整器、および電力管理回路など、様々な他の回路をリンクし得るが、これらの回路は当技術分野においてよく知られており、したがって、これ以上説明しない。バスインターフェース８０８は、バス８０２と、信号を受信または送信するための１つまたは複数のアンテナ８２０に接続されたトランシーバ８１０との間のインターフェースを与える。トランシーバ８１０および１つまたは複数のアンテナ８２０は、伝送媒体を介して（たとえば、オーバージエアで）様々な他の装置と通信するための機構を与える。装置の性質に応じて、ユーザインターフェース（ＵＩ）８１２（たとえば、キーパッド、ディスプレイ、スピーカー、マイクロフォン、ジョイスティック）も与えられ得る。
【００８４】
[0091]プロセッサ８０４は、バス８０２を管理することと、コンピュータ可読媒体８０６に記憶されたソフトウェアの実行を含む一般的な処理とを担当する。ソフトウェアは、プロセッサ８０４によって実行されたとき、処理システム８１４に、特定の装置のための本明細書で説明する様々な機能を実施させる。コンピュータ可読媒体８０６はまた、ソフトウェアを実行するときにプロセッサ８０４によって操作されるデータを記憶するために使用され得る。上記で説明した通信構成要素８４０は、プロセッサ８０４によって、またはコンピュータ可読媒体８０６によって、またはプロセッサ８０４とコンピュータ可読媒体８０６の任意の組合せによって全体的にまたは部分的に実装され得る。
【００８５】
[0092]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【００８６】
[0093]さらに、本明細書の開示に関して説明した様々な例示的な論理ブロック、モジュール、回路、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈されるべきではない。
【００８７】
[0094]本明細書の開示に関して説明した様々な例示的な論理ブロック、モジュール、および回路は、汎用プロセッサ、デジタル信号プロセッサ（ＤＳＰ）、ＡＳＩＣ、ＦＰＧＡまたは他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【００８８】
[0095]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に存在し得る。例示的な記憶媒体は、プロセッサが記憶媒体から情報を読み取ることができ、記憶媒体に情報を書き込むことができるように、プロセッサに結合される。代替として、記憶媒体はプロセッサに一体化され得る。プロセッサおよび記憶媒体はＡＳＩＣ中に存在し得る。ＡＳＩＣはユーザ端末中に存在し得る。代替として、プロセッサおよび記憶媒体は、ユーザ端末中に個別構成要素として存在し得る。
【００８９】
[0096]１つまたは複数の例示的な設計では、説明した機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ここで、ディスク（disk）は、通常、データを磁気的に再生し、ディスク（disc）は、データをレーザーで光学的に再生する。上記の組合せもコンピュータ可読媒体の範囲内に含まれるべきである。
【００９０】
[0097]本開示についての以上の説明は、いかなる当業者も本開示を作成または使用することができるように与えたものである。本開示への様々な変更は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１］
ワイヤレスネットワークにおいて複数接続性ワイヤレス通信を使用して通信するための方法であって、
第１の接続を介して第１のアクセスポイントによってサービスされる第１のセルと通信することと、
第２の接続を介して第２のアクセスポイントによってサービスされる第２のセルと通信することと、
前記第１の接続を介して前記第１のアクセスポイントによってサービスされる前記第１のセルと通信するために第１の半二重動作を実行すべきなのか第１の全二重動作を実行すべきなのかを決定することと、
前記第２の接続を介して前記第２のアクセスポイントによってサービスされる前記第２のセルと通信するために第２の半二重動作を実行すべきなのか第２の全二重動作を実行すべきなのかを決定することと
を備える、方法。
［Ｃ２］
全二重動作の一部として通信を受信するために、前記第１の接続を介して前記第１のセルまたは前記第２の接続を介して前記第２のセルのうちの一方と通信することと、
前記全二重動作の一部として通信を送信するために前記第１の接続を介して前記第１のセルまたは前記第２の接続を介して前記第２のセルのうちの他方と通信することと
によって、前記全二重動作を実行することをさらに備える、Ｃ１に記載の方法。
［Ｃ３］
前記第１の接続および前記第２の接続が、前記全二重動作を実行することに関係する時間間隔中で半二重動作のみをサポートする、Ｃ２に記載の方法。
［Ｃ４］
前記第１のセルと通信するために前記第１の半二重動作を実行すべきなのか前記第１の全二重動作を実行すべきなのかを決定すること、または前記第２のセルと通信するために前記第２の半二重動作を実行すべきなのか前記第２の全二重動作を実行すべきなのかを決定することのうちの少なくとも１つが、構成に少なくとも部分的に基づく、Ｃ１に記載の方法。
［Ｃ５］
前記構成が、前記第１の接続および前記第２の接続の各々のキャリアアグリゲーション帯域構成に関する、Ｃ４に記載の方法。
［Ｃ６］
前記構成が、前記第１の接続および前記第２の接続の各々を使用して通信するためのユーザ機器（ＵＥ）の１つまたは複数の能力に関する、Ｃ４に記載の方法。
［Ｃ７］
前記第２のセルと通信するために前記第２の半二重動作を実行すべきなのか前記第２の全二重動作を実行すべきなのかを決定することは、前記第２の全二重動作のための送信電力がしきい値電力よりも小さいと決定することに少なくとも部分的に基づいて、前記第２の全二重動作を実行すると決定することを備える、Ｃ１に記載の方法。
［Ｃ８］
前記第１のアクセスポイントおよび前記第２のアクセスポイントが、前記第１のセルおよび前記第２のセルを介したキャリアアグリゲーションをサポートする同じアクセスポイントである、Ｃ１に記載の方法。
［Ｃ９］
ワイヤレスネットワークにおいて複数接続性ワイヤレス通信を使用して通信するための装置であって、
第１の接続を介して第１のアクセスポイントによってサービスされる第１のセルと通信することと、第２の接続を介して第２のアクセスポイントによってサービスされる第２のセルと通信することとを行うように構成された通信構成要素と、
前記第１の接続を介して前記第１のアクセスポイントによってサービスされる前記第１のセルと通信するために第１の半二重動作を実行すべきなのか第１の全二重動作を実行すべきなのかを決定することと、前記第２の接続を介して前記第２のアクセスポイントによってサービスされる前記第２のセルと通信するために第２の半二重動作を実行すべきなのか第２の全二重動作を実行すべきなのかを決定することとを行うように構成された半／全二重動作構成要素と
を備える、装置。
［Ｃ１０］
前記半／全二重動作構成要素が、少なくとも部分的に、
全二重動作の一部として通信を受信するために前記第１の接続を介して前記第１のセルまたは前記第２の接続を介して前記第２のセルのうちの一方と通信することと、
前記全二重動作の一部として通信を送信するために前記第１の接続を介して前記第１のセルまたは前記第２の接続を介して前記第２のセルのうちの他方と通信することと
によって、前記全二重動作を実行すると決定するように構成された、Ｃ９に記載の装置。
［Ｃ１１］
前記第１の接続および前記第２の接続が、前記第１のセルとの前記全二重動作および前記第２のセルとの前記全二重動作を実行することに関係する時間間隔中で半二重動作のみをサポートする、Ｃ１０に記載の装置。
［Ｃ１２］
前記半／全二重動作構成要素が、構成に少なくとも部分的に基づいて、前記第１のセルと通信するために前記第１の半二重動作を実行すべきなのか前記第１の全二重動作を実行すべきなのかを決定すること、または前記第２のセルと通信するために前記第２の半二重動作を実行すべきなのか前記第２の全二重動作を実行すべきなのかを決定することのうちの少なくとも１つを行うように構成された、Ｃ９に記載の装置。
［Ｃ１３］
前記構成が、前記第１の接続および前記第２の接続の各々のキャリアアグリゲーション帯域構成に関する、Ｃ１２に記載の装置。
［Ｃ１４］
前記構成が、前記第１の接続および前記第２の接続の各々を使用して通信するためのユーザ機器（ＵＥ）の１つまたは複数の能力に関する、Ｃ１２に記載の装置。
［Ｃ１５］
前記半／全二重動作構成要素は、前記第２の全二重動作のための送信電力がしきい値電力よりも小さいと決定することに少なくとも部分的に基づいて、少なくとも部分的に、前記第２の全二重動作を実行すると決定することによって、前記第２のセルと通信するために前記第２の半二重動作を実行すべきなのか前記第２の全二重動作を実行すべきなのかを決定するように構成された、Ｃ９に記載の装置。
［Ｃ１６］
前記第１のアクセスポイントおよび前記第２のアクセスポイントが、前記第１のセルおよび前記第２のセルを介したキャリアアグリゲーションをサポートする同じアクセスポイントである、Ｃ９に記載の装置。
［Ｃ１７］
ワイヤレスネットワークにおいて複数接続性ワイヤレス通信を使用して通信するための装置であって、
第１の接続を介して第１のアクセスポイントによってサービスされる第１のセルと通信するための手段と、
第２の接続を介して第２のアクセスポイントによってサービスされる第２のセルと通信するための手段と、
前記第１の接続を介して前記第１のアクセスポイントによってサービスされる前記第１のセルと通信するために第１の半二重動作を実行すべきなのか第１の全二重動作を実行すべきなのかを決定するための手段と、
前記第２の接続を介して前記第２のアクセスポイントによってサービスされる前記第２のセルと通信するために第２の半二重動作を実行すべきなのか第２の全二重動作を実行すべきなのかを決定するための手段と
を備える、装置。
［Ｃ１８］
全二重動作の一部として通信を受信するために前記第１の接続を介して前記第１のセルまたは前記第２の接続を介して前記第２のセルのうちの一方と通信することと、
前記全二重動作の一部として通信を送信するために前記第１の接続を介して前記第１のセルまたは前記第２の接続を介して前記第２のセルのうちの他方と通信することと
によって、前記全二重動作を実行するための手段をさらに備える、Ｃ１７に記載の装置。
［Ｃ１９］
前記第１の接続および前記第２の接続が、前記第１のセルとの前記全二重動作および前記第２のセルとの前記全二重動作を実行することに関係する時間間隔中で半二重動作のみをサポートする、Ｃ１８に記載の装置。
［Ｃ２０］
前記第１のセルと通信するために前記第１の半二重動作を実行すべきなのか前記第１の全二重動作を実行すべきなのかを決定するための前記手段、または前記第２のセルと通信するために前記第２の半二重動作を実行すべきなのか前記第２の全二重動作を実行すべきなのかを決定するための前記手段が、構成に少なくとも部分的に基づいて決定する、Ｃ１７に記載の装置。
［Ｃ２１］
前記構成が、前記第１の接続および前記第２の接続の各々のキャリアアグリゲーション帯域構成に関する、Ｃ２０に記載の装置。
［Ｃ２２］
前記構成が、前記第１の接続および前記第２の接続の各々を使用して通信するためのユーザ機器（ＵＥ）の１つまたは複数の能力に関する、Ｃ２０に記載の装置。
［Ｃ２３］
前記第１のアクセスポイントおよび前記第２のアクセスポイントが、前記第１のセルおよび前記第２のセルを介したキャリアアグリゲーションをサポートする同じアクセスポイントである、Ｃ１７に記載の装置。
［Ｃ２４］
ワイヤレスネットワークにおいて複数接続性ワイヤレス通信を使用して通信するためのコンピュータ実行可能コードを記憶するコンピュータ可読記憶媒体であって、
第１の接続を介して第１のアクセスポイントによってサービスされる第１のセルと通信するためのコードと、
第２の接続を介して第２のアクセスポイントによってサービスされる第２のセルと通信するためのコードと、
前記第１の接続を介して前記第１のアクセスポイントによってサービスされる前記第１のセルと通信するために第１の半二重動作を実行すべきなのか第１の全二重動作を実行すべきなのかを決定するためのコードと、
前記第２の接続を介して前記第２のアクセスポイントによってサービスされる前記第２のセルと通信するために第２の半二重動作を実行すべきなのか第２の全二重動作を実行すべきなのかを決定するためのコードと
を備える、コンピュータ可読記憶媒体。
［Ｃ２５］
全二重動作の一部として通信を受信するために前記第１の接続を介して前記第１のセルまたは前記第２の接続を介して前記第２のセルのうちの一方と通信することと、
前記全二重動作の一部として通信を送信するために前記第１の接続を介して前記第１のセルまたは前記第２の接続を介して前記第２のセルのうちの他方と通信することと
によって、前記全二重動作を実行するためのコード
をさらに備える、Ｃ２４に記載のコンピュータ可読記憶媒体。
［Ｃ２６］
前記第１の接続および前記第２の接続が、前記第１のセルとの前記全二重動作および前記第２のセルとの前記全二重動作を実行することに関係する時間間隔中で半二重動作のみをサポートする、Ｃ２５に記載のコンピュータ可読記憶媒体。
［Ｃ２７］
前記第１のセルと通信するために前記第１の半二重動作を実行すべきなのか前記第１の全二重動作を実行すべきなのかを決定するための前記コード、または前記第２のセルと通信するために前記第２の半二重動作を実行すべきなのか前記第２の全二重動作を実行すべきなのかを決定するための前記コードが、構成に少なくとも部分的に基づいて決定する、Ｃ２４に記載のコンピュータ可読記憶媒体。
［Ｃ２８］
前記構成が、前記第１の接続および前記第２の接続の各々のキャリアアグリゲーション帯域構成に関する、Ｃ２７に記載のコンピュータ可読記憶媒体。
［Ｃ２９］
前記構成が、前記第１の接続および前記第２の接続の各々を使用して通信するためのユーザ機器（ＵＥ）の１つまたは複数の能力に関する、Ｃ２７に記載のコンピュータ可読記憶媒体。
［Ｃ３０］
前記第１のアクセスポイントおよび前記第２のアクセスポイントが、前記第１のセルおよび前記第２のセルを介したキャリアアグリゲーションをサポートする同じアクセスポイントである、Ｃ２４に記載のコンピュータ可読記憶媒体。
【図１】
0006445047.tif 000002
【図２】
0006445047.tif 000003
【図３】
0006445047.tif 000004
【図４ａ】
0006445047.tif 000005
【図４ｂ】
0006445047.tif 000006
【図５】
0006445047.tif 000007
【図６】
0006445047.tif 000008
【図７】
0006445047.tif 000009
【図８】
0006445047.tif 000010